(57)【要約】  1つまたは複数のネットワーク特性に基づいて無線アクセス技術(RAT)の使用を示すネットワークアクセスポリシーに少なくとも部分的に基づいてネットワーク選択を可能にするモバイルデバイスによるネットワーク選択のための方法、システムおよびデバイスについて説明する。ネットワークアクセスポリシーは、たとえば、時刻、モバイルデバイスの位置、RATアクセスコスト、ローミング状況、契約プロファイルおよび/またはデータ使用量などの1つまたは複数の所定の条件に基づいて選択的に適用される。例では、ネットワークアクセスポリシーが適用されるとき、モバイルデバイスは、セルラーアクセスノードまたはWLANアクセスノードなどの、様々なRATを使用して動作し得るいくつかのアクセスノードのうちから選択する。アクセスノードに関する利用可能な帯域幅などのネットワーク状態に少なくとも部分的に基づいて選択されたアクセスノードとの通信が確立される。
2016506213.tif 000002
【特許請求の範囲】
【請求項１】
モバイルデバイスにおけるネットワーク選択を管理する方法であって、
2つ以上の無線アクセス技術(RAT)が前記モバイルデバイスとワイヤレス通信するために利用可能であることを判定するステップと、
1つまたは複数のネットワーク特性に基づくRATの使用を示すネットワークアクセスポリシーにアクセスするステップと、
1つまたは複数の所定の基準に基づいて前記ネットワークアクセスポリシーを選択的に適用するステップと、
前記ネットワークアクセスポリシーに基づいて前記2つ以上のRATの各々に関する1つまたは複数のパラメータを判定するステップと、
前記1つまたは複数のパラメータおよび前記ネットワークアクセスポリシーに基づいて前記RATとの通信を確立するステップと
を含む、方法。
【請求項２】
前記1つまたは複数のパラメータを判定するステップは、
1つまたは複数のRATに関する利用可能な帯域幅を推定するステップと、
最高の推定された利用可能な帯域幅を有する前記RATを識別するステップと
を含む、請求項1に記載の方法。
【請求項３】
前記利用可能な帯域幅を推定するステップは、利用可能な無線リンク帯域幅を推定するステップ、またはバックホール帯域幅を判定するステップのうちの少なくとも1つを含む、請求項2に記載の方法。
【請求項４】
前記バックホール帯域幅を判定するステップは、別のノードからのメッセージにおいて前記バックホール帯域幅を受信するステップ、または前記バックホール帯域幅を推定するステップのうちの少なくとも1つを含む、請求項3に記載の方法。
【請求項５】
前記利用可能な帯域幅を推定するステップは、前記モバイルデバイスにおいてリンク容量を測定するステップと、ネットワークロードに関連するパラメータを受信または推定するステップとを含む、請求項3に記載の方法。
【請求項６】
前記1つまたは複数の所定の基準は、
現在時刻、
前記モバイルデバイスの現在の位置、
前記2つ以上のRATのうちの1つにアクセスするコスト、
1つまたは複数のRAT上の前記モバイルデバイスのローミング状況、
前記モバイルデバイスの契約プロファイル、
前記モバイルデバイスの現在のデータ使用量、または
WLANもしくはセルラーアクセスノードの識別情報
のうちの1つまたは複数を含む、請求項1に記載の方法。
【請求項７】
前記ネットワークアクセスポリシーは、第1のRATに関する第1の帯域幅関連のパラメータしきい値と、第2のRATに関する第2の帯域幅関連のパラメータしきい値とを含む、請求項1に記載の方法。
【請求項８】
前記第1のRATの第1の帯域幅関連のパラメータが前記第1の帯域幅関連のパラメータしきい値に合致することを判定するステップと、
前記第2のRATの第2の帯域幅関連のパラメータが前記第2の帯域幅関連のパラメータしきい値に合致しないことを判定するステップと、
前記第1のRATとの通信を確立するステップと
さらに含む、請求項7に記載の方法。
【請求項９】
各RATに関する前記利用可能な帯域幅を推定するステップは、帯域幅を示す1つまたは複数のパラメータの関数として推定するステップをさらに含む、請求項2に記載の方法。
【請求項１０】
帯域幅を示す前記1つまたは複数のパラメータは、信号対ノイズ比(SNR)、リソース利用率、ノイズライズ、RATロード、利用可能なコードの数、スロット利用率、利用可能な送信電力、利用可能なリソースブロックの数、またはアクセスノードバックホールの容量および利用率のうちの1つまたは複数を含む、請求項9に記載の方法。
【請求項１１】
帯域幅を示す1つまたは複数のパラメータの関数として推定するステップは、
無線リンクの品質およびリンク容量を推定するステップと、
前記モバイルデバイスが利用可能なシステムリソースの一部分を推定するステップと、
各RATに関する前記利用可能な無線リンク帯域幅を生成するために前記モバイルデバイスが利用可能なシステムリソースの前記一部分で前記リンク容量をスケーリングするステップと
をさらに含む、請求項9に記載の方法。
【請求項１２】
前記ネットワークアクセスポリシーは、選択条件をさらに含み、前記RATとの通信を確立するステップは、前記選択条件にさらに基づいている、請求項1に記載の方法。
【請求項１３】
前記選択条件は、前記最高の推定された利用可能な帯域幅を有する前記RATを選択するための第1のRAT選択条件と、第2のRATを選択するための第2のRAT選択条件とを含む、請求項12に記載の方法。
【請求項１４】
前記第1のRAT選択条件に合致することを判定するステップをさらに含み、前記1つまたは複数のパラメータおよび前記ネットワークアクセスポリシーに基づいて前記RATとの通信を確立するステップは、前記第1のRAT選択条件に合致することにさらに基づいている、請求項13に記載の方法。
【請求項１５】
前記第2のRAT選択条件に合致することを判定するステップと、
前記第2のRAT選択条件に合致することに基づいて前記第2のRATとの通信を確立するステップと
をさらに含む、請求項13に記載の方法。
【請求項１６】
前記第1のRAT選択条件は、第1の帯域幅関連のパラメータしきい値を含み、前記第2のRAT選択条件は、第2の帯域幅関連のパラメータしきい値を含む、請求項13に記載の方法。
【請求項１７】
前記2つ以上のRATのうちの1つの前記第1の帯域幅関連のパラメータが、前記第1の帯域幅関連のパラメータしきい値に合致することを判定するステップであって、それによって前記第1のRAT条件を達成する、ステップと、
前記第2のRATの前記第2の帯域幅関連のパラメータが、前記第2の帯域幅関連のパラメータしきい値に合致しないことを判定するステップであって、それによって前記第2のRAT条件を達成しない、ステップと
をさらに含む、請求項16に記載の方法。
【請求項１８】
前記選択条件は、新しいRATを選択することに対してバイアスするためのヒステリシス値を含む、請求項12に記載の方法。
【請求項１９】
モバイルデバイスにおけるネットワーク選択を管理するためのコンピュータプログラムであって、
2つ以上の無線アクセス技術(RAT)が前記モバイルデバイスとワイヤレス通信するために利用可能であることを判定し、
1つまたは複数のネットワーク特性に基づくRATの使用を示すネットワークアクセスポリシーにアクセスし、
1つまたは複数の所定の基準に基づいて前記ネットワークアクセスポリシーを選択的に適用し、
前記ネットワークアクセスポリシーに基づいて前記2つ以上のRATの各々に関する1つまたは複数のパラメータを判定し、
前記1つまたは複数のパラメータおよび前記ネットワークアクセスポリシーに基づいて前記RATとの通信を確立する
ためのコードを含む、コンピュータプログラム。
【請求項２０】
前記1つまたは複数のパラメータを判定するための前記コードは、
1つまたは複数のRATに関する利用可能な帯域幅を推定し、
最高の推定された利用可能な帯域幅を有する前記RATを識別する
ためのコードを含む、請求項19に記載のコンピュータプログラム。
【請求項２１】
前記利用可能な帯域幅を推定するための前記コードは、利用可能な無線リンク帯域幅を推定するためのコード、またはバックホール帯域幅を判定するためのコードのうちの少なくとも1つを含む、請求項20に記載のコンピュータプログラム。
【請求項２２】
前記バックホール帯域幅を判定するための前記コードは、別のノードからのメッセージにおいて前記バックホール帯域幅を受信するためのコード、または前記バックホール帯域幅を推定するためのコードのうちの少なくとも1つを含む、請求項21に記載のコンピュータプログラム。
【請求項２３】
前記利用可能な帯域幅を推定するための前記コードは、前記モバイルデバイスにおいてリンク容量を測定し、ネットワークロードに関連するパラメータを受信または推定するためのコードを含む、請求項21に記載のコンピュータプログラム。
【請求項２４】
前記第1のRATの第1の帯域幅関連のパラメータが前記第1の帯域幅関連のパラメータしきい値に合致することを判定し、
前記第2のRATの第2の帯域幅関連のパラメータが前記第2の帯域幅関連のパラメータしきい値に合致しないことを判定し、
前記第1のRATとの通信を確立する
ためのコードをさらに含む、請求項23に記載のコンピュータプログラム。
【請求項２５】
前記1つまたは複数の所定の基準は、
現在時刻、
前記モバイルデバイスの現在の位置、
前記2つ以上のRATのうちの1つにアクセスするコスト、
1つまたは複数のRAT上の前記モバイルデバイスのローミング状況、
前記モバイルデバイスの契約プロファイル、
前記モバイルデバイスの現在のデータ使用量、または
WLANもしくはセルラーアクセスノードの識別情報
のうちの1つまたは複数を含む、請求項19に記載のコンピュータプログラム。
【請求項２６】
モバイルデバイスにおけるネットワーク選択を管理するための装置であって、
2つ以上の無線アクセス技術(RAT)が前記モバイルデバイスとワイヤレス通信するために利用可能であることを判定するための手段と、
1つまたは複数のネットワーク特性に基づくRATの使用を示すネットワークアクセスポリシーにアクセスするための手段と、
1つまたは複数の所定の基準に基づいて前記ネットワークアクセスポリシーを選択的に適用するための手段と、
前記ネットワークアクセスポリシーに基づいて前記2つ以上のRATの各々に関する1つまたは複数のパラメータを判定するための手段と、
前記1つまたは複数のパラメータおよび前記ネットワークアクセスポリシーに基づいて前記RATとの通信を確立するための手段と
を含む、装置。
【請求項２７】
前記1つまたは複数のパラメータを判定するための前記手段は、
1つまたは複数のRATに関する利用可能な帯域幅を推定するための手段と、
最高の推定された利用可能な帯域幅を有する前記RATを識別するための手段と
を含む、請求項26に記載の装置。
【請求項２８】
前記利用可能な帯域幅を推定するための前記手段は、利用可能な無線リンク帯域幅を推定するための手段、またはバックホール帯域幅を判定するための手段のうちの少なくとも1つを含む、請求項27に記載の装置。
【請求項２９】
前記バックホール帯域幅を判定するための前記手段は、別のノードからのメッセージにおいて前記バックホール帯域幅を受信するための手段、または前記バックホール帯域幅を推定するための手段のうちの少なくとも1つを含む、請求項28に記載の装置。
【請求項３０】
前記利用可能な帯域幅を推定するための前記手段は、前記モバイルデバイスにおいてリンク容量を測定し、ネットワークロードに関連するパラメータを受信または推定するための手段を含む、請求項28に記載の装置。
【請求項３１】
前記1つまたは複数の所定の基準は、
現在時刻、
前記モバイルデバイスの現在の位置、
前記2つ以上のRATのうちの1つにアクセスするコスト、
1つまたは複数のRAT上の前記モバイルデバイスのローミング状況、
前記モバイルデバイスの契約プロファイル、
前記モバイルデバイスの現在のデータ使用量、または
WLANもしくはセルラーアクセスノードの識別情報
のうちの1つまたは複数を含む、請求項26に記載の装置。
【請求項３２】
前記第1のRATの第1の帯域幅関連のパラメータが前記第1の帯域幅関連のパラメータしきい値に合致することを判定するための手段と、
前記第2のRATの第2の帯域幅関連のパラメータが前記第2の帯域幅関連のパラメータしきい値に合致しないことを判定するための手段と、
前記第1のRATとの通信を確立するための手段と
をさらに含む、請求項26に記載の装置。
【請求項３３】
各RATに関する前記利用可能な帯域幅を推定するための前記手段は、帯域幅を示す1つまたは複数のパラメータの関数として推定するための手段をさらに含む、請求項27に記載の装置。
【請求項３４】
帯域幅を示す前記1つまたは複数のパラメータは、信号対ノイズ比(SNR)、リソース利用率、ノイズライズ、RATロード、利用可能なコードの数、スロット利用率、利用可能な送信電力、利用可能なリソースブロックの数、またはアクセスノードバックホールの容量および利用率のうちの1つまたは複数を含む、請求項33に記載の装置。
【請求項３５】
帯域幅を示す1つまたは複数のパラメータの関数として推定するための前記手段は、
無線リンクの品質およびリンク容量を推定するための手段と、
前記モバイルデバイスが利用可能なシステムリソースの一部分を推定するための手段と、
各RATに関する前記利用可能な帯域幅を生成するために前記モバイルデバイスが利用可能なシステムリソースの前記一部分で前記リンク容量をスケーリングするための手段と
をさらに含む、請求項33に記載の装置。
【請求項３６】
前記ネットワークアクセスポリシーは、選択条件をさらに含み、最高の推定された利用可能な無線リンク帯域幅を有する前記RATとの通信を確立するステップは、前記選択条件にさらに基づいている、請求項26に記載の装置。
【請求項３７】
前記選択条件は、前記最高の推定された利用可能な帯域幅を有する前記RATを選択するための第1のRAT選択条件と、第2のRATを選択するための第2のRAT選択条件とを含む、請求項36に記載の装置。
【請求項３８】
前記第1のRAT選択条件に合致することを判定するための手段をさらに含み、前記最高の推定された利用可能な帯域幅を有する前記RATとの通信を確立するための手段は、前記第1のRAT選択条件に合致することにさらに基づいている、請求項37に記載の装置。
【請求項３９】
前記第2のRAT選択条件に合致することを判定するための手段と、
前記第2のRAT選択条件に合致することに基づいて前記第2のRATとの通信を確立するための手段と
をさらに含む、請求項37に記載の装置。
【請求項４０】
前記第1のRAT選択条件は、第1の帯域幅関連のパラメータしきい値を含み、前記第2のRAT選択条件は、第2の帯域幅関連のパラメータしきい値を含む、請求項37に記載の装置。
【請求項４１】
前記2つ以上のRATのうちの1つの前記第1の帯域幅関連のパラメータが、前記第1の帯域幅関連のパラメータしきい値に合致することを判定するための手段であって、それによって前記第1のRAT条件を達成する、手段と、
前記第2のRATの前記第2の帯域幅関連のパラメータが、前記第2の帯域幅関連のパラメータしきい値に合致しないことを判定するための手段であって、それによって前記第2のRAT条件を達成しない、手段と
をさらに含む、請求項40に記載の装置。
【請求項４２】
前記選択条件は、新しいRATを選択することに対してバイアスするためのヒステリシス値を含む、請求項36に記載の装置。
【請求項４３】
ネットワーク選択を管理するためのデバイスであって、
プロセッサと、
前記プロセッサと電子通信中のメモリと
を含み、前記メモリは命令を具現化し、前記命令は、
2つ以上の無線アクセス技術(RAT)が前記モバイルデバイスとワイヤレス通信するために利用可能であることを判定し、
1つまたは複数のネットワーク特性に基づくRATの使用を示すネットワークアクセスポリシーにアクセスし、
1つまたは複数の所定の基準に基づいて前記ネットワークアクセスポリシーを選択的に適用し、
前記ネットワークアクセスポリシーに基づいて前記2つ以上のRATの各々に関する1つまたは複数のパラメータを判定し、
前記1つまたは複数のパラメータおよび前記ネットワークアクセスポリシーに基づいて前記RATとの通信を確立する
ために前記プロセッサによって実行可能である、デバイス。
【請求項４４】
前記命令は、
1つまたは複数のRATに関する利用可能な帯域幅を推定し、
最高の推定された利用可能な帯域幅を有する前記RATを識別する
ために前記プロセッサによって実行可能である、請求項43に記載のデバイス。
【請求項４５】
前記命令は、利用可能な無線リンク帯域幅を推定すること、またはバックホール帯域幅を判定することのうちの少なくとも1つを介して前記利用可能な帯域幅を推定するために前記プロセッサによってさらに実行可能である、請求項44に記載のデバイス。
【請求項４６】
前記命令は、別のノードからのメッセージにおける前記バックホール帯域幅の少なくとも1つの受信、または前記バックホール帯域幅を推定することを介して前記バックホール帯域幅を判定するために前記プロセッサによってさらに実行可能である、請求項45に記載のデバイス。
【請求項４７】
前記命令は、前記モバイルデバイスにおいてリンク容量を測定し、ネットワークロードに関連するパラメータを受信または推定するために前記プロセッサによってさらに実行可能である、請求項45に記載のデバイス。
【請求項４８】
前記ネットワークアクセスポリシーは、第1のRATに関する第1の帯域幅関連のパラメータしきい値と、第2のRATに関する第2の帯域幅関連のパラメータしきい値とを含む、請求項44に記載のデバイス。
【請求項４９】
前記命令は、
前記第1のRATの第1の帯域幅関連のパラメータが前記第1の帯域幅関連のパラメータしきい値に合致することを判定し、
前記第2のRATの第2の帯域幅関連のパラメータが前記第2の帯域幅関連のパラメータしきい値に合致しないことを判定し、
前記第1のRATとの通信を確立する
ために前記プロセッサによって実行可能である、請求項48に記載のデバイス。
【請求項５０】
前記1つまたは複数の所定の基準は、
現在時刻、
前記モバイルデバイスの現在の位置、
前記2つ以上のRATのうちの1つにアクセスするコスト、
1つまたは複数のRAT上の前記モバイルデバイスのローミング状況、
前記モバイルデバイスの契約プロファイル、
前記モバイルデバイスの現在のデータ使用量、または
WLANもしくはセルラーアクセスノードの識別情報
のうちの1つまたは複数を含む、請求項43に記載のデバイス。
【発明の詳細な説明】
【技術分野】
【０００１】
相互参照
本特許出願は、本出願の譲受人に譲渡される、2013年3月15日に出願された、Chenら、「Apparatus and Method of Network Selection Based on Available Bandwidth」という名称の同時係属の米国特許出願第13/842,267号の優先権の利益を主張し、本出願の譲受人に譲渡される、2013年1月25日に出願された、Meylanら、「Apparatus and Method of Network Selection Based on Available Bandwidth」という名称の同時係属の米国仮特許出願第61/757,054号の優先権の利益を主張する。
【０００２】
本開示の態様は、一般に、ワイヤレス通信システムに関し、より詳細には、選択的に適用されるネットワークアクセスポリシーに基づくネットワーク選択に関する。
【背景技術】
【０００３】
電話、ビデオ、データ、メッセージング、ブロードキャストなどの様々な通信サービスを提供するために、ワイヤレス通信ネットワークが広範囲に展開されている。そのようなネットワークは、たいていは多元接続ネットワークであり、利用可能なネットワークリソースを共有することによって、複数のユーザ向けの通信をサポートする。そのようなネットワークの一例は、UMTS地上波無線アクセスネットワーク(UTRAN)である。UTRANは、第3世代パートナーシッププロジェクト(3GPP)によってサポートされる第3世代(3G)モバイルフォン技術である、ユニバーサルモバイル通信システム(UMTS)の一部として定義される無線アクセスネットワーク(RAN)である。UMTSは、モバイル通信用グローバルシステム(GSM(登録商標))技術の後継であり、広帯域符号分割多元接続(W-CDMA(登録商標)、時分割符号分割多元接続(TD-CDMA)、および時分割同期符号分割多元接続(TD-SCDMA)などの様々なエアインターフェース規格を現在サポートしている。UMTSは、関連するUMTSネットワークのデータ転送の速度および容量を向上させる高速パケットアクセス(HSPA)のような改良型の3Gデータ通信プロトコルもサポートする。そのような多元接続システムの他の例には、時分割多元接続(TDMA)システム、周波数分割多元接続(FDMA)システム、および直交周波数分割多元接続(OFDMA)システムがある。
【０００４】
状況によっては、セルラーもしくはワイヤレスワイドエリアネットワーク(WWAN)基地局またはノードBなどの無線アクセスネットワーク(RAN)ノードは、トラフィックをサポートすることができる、WiFiまたはワイヤレスローカルエリアネットワーク(WLAN)アクセスポイントなどの別の無線アクセス技術(RAT)アクセスノードにトラフィックをオフロードすることが望ましい場合がある。既存の解決策には、ネットワーク選択用の静的ルールに基づく1つまたは複数のRAT選好を規定する、アクセスネットワークドメイン選択機能(ANDSF)と呼ばれるネットワークアクセス層(NAS)ベースの機能がある。他の既存の解決策には、ネットワーク選択用の静的ルールに基づく1つまたは複数のRAT選好を規定する、上位レイヤ/オペレーティングシステム(OS)ベースの機能がある。
【発明の概要】
【課題を解決するための手段】
【０００５】
説明する特徴は、一般に、1つまたは複数のネットワーク特性に基づいて無線アクセス技術(RAT)の使用を示すネットワークアクセスポリシーに少なくとも部分的に基づいてネットワーク選択を可能にするモバイルデバイスによるネットワーク選択のための1つまたは複数の改善されたシステム、方法、および/または装置に関する。ネットワークアクセスポリシーは、たとえば、時刻、モバイルデバイスの位置、RATアクセスコスト、ローミング状況、契約プロファイル、および/またはデータ使用量などの、1つまたは複数の所定の条件に基づいて選択的に適用され得る。いくつかの例では、ネットワークアクセスポリシーが適用されるとき、モバイルデバイスは、たとえば、セルラーアクセスノードまたはワイヤレスローカルエリアネットワーク(WLAN)アクセスノードなどの、様々なRATを使用して動作し得るいくつかのアクセスノードのうちから選択するように構成され得る。アクセスノードに関する利用可能な帯域幅などのネットワーク状態に少なくとも部分的に基づいて選択されたアクセスノードとの通信が確立され得る。
【０００６】
一態様では、モバイルデバイスにおいてネットワーク選択を管理する方法について説明する。本方法は、一般に、モバイルデバイスとワイヤレス通信するために2つ以上の無線アクセス技術(RAT)が利用可能であることを判定するステップと、1つまたは複数のネットワーク特性に基づいてRATの使用を示すネットワークアクセスポリシーにアクセスするステップと、1つまたは複数の所定の基準に基づいてネットワークアクセスポリシーを選択的に適用するステップと、ネットワークアクセスポリシーに基づいて2つ以上のRATの各々に関する1つまたは複数のパラメータを判定するステップと、1つまたは複数のパラメータおよびネットワークアクセスポリシーに基づいてRATとの通信を確立するステップとを含む。
【０００７】
いくつかの実施形態では、1つまたは複数のパラメータを判定するステップは、1つまたは複数のRATに関する利用可能な帯域幅を推定するステップと、最高の推定された利用可能な帯域幅を有するRATを識別するステップとを含み得る。利用可能な帯域幅を推定するステップは、たとえば、利用可能な無線リンク帯域幅を推定するステップ、またはバックホール帯域幅を判定するステップのうちの1つまたは複数を含み得る。バックホール帯域幅を判定するステップは、たとえば、別のノードからのメッセージにおいてバックホール帯域幅を受信するステップ、またはバックホール帯域幅を推定するステップのうちの1つまたは複数を含み得る。いくつかの実施形態では、利用可能な帯域幅を推定するステップは、モバイルデバイスにおいてリンク容量を測定するステップと、ネットワークロードに関連するパラメータを受信または推定するステップとを含み得る。いくつかの実施形態では、選択条件は、新しいRATを選択することに対してバイアスするためのヒステリシス値を含む。
【０００８】
いくつかの実施形態では、1つまたは複数の所定の基準は、たとえば、現在時刻、モバイルデバイスの現在位置、2つ以上のRATのうちの1つにアクセスするコスト、1つまたは複数のRAT上のモバイルデバイスのローミング状況、モバイルデバイスの契約プロファイル、モバイルデバイスの現在のデータ使用量、またはWLANもしくはセルラーアクセスノードの識別情報のうちの1つまたは複数を含み得る。
【０００９】
いくつかの実施形態では、ネットワークアクセスポリシーは、第1のRATに関する第1の帯域幅関連のパラメータしきい値と、第2のRATに関する第2の帯域幅関連のパラメータしきい値とを含み得る。本方法は、いくつかの実施形態では、第1のRATの第1の帯域幅関連のパラメータが第1の帯域幅関連のパラメータしきい値に合致することを判定するステップと、第2のRATの第2の帯域幅関連のパラメータが第2の帯域幅関連のパラメータしきい値に合致しないことを判定するステップと、第1のRATとの通信を確立するステップとをさらに含み得る。他の実施形態では、利用可能な帯域幅を推定するステップは、帯域幅を示す1つまたは複数のパラメータの関数として推定するステップを含み得る。帯域幅を示す1つまたは複数のパラメータは、たとえば、信号対ノイズ比(SNR)、リソース利用率、ノイズライズ、RATロード、利用可能なコードの数、スロット利用率、利用可能な送信電力、利用可能なリソースブロックの数、またはアクセスノードバックホールの容量および利用率のうちの1つまたは複数を含み得る。他の実施形態では、帯域幅を示す1つまたは複数のパラメータの関数として推定するステップは、無線リンクの品質およびリンク容量を推定するステップと、モバイルデバイスが利用可能なシステムリソースの一部分を推定するステップと、各RATに関する利用可能な無線リンク帯域幅を生成するためにモバイルデバイスが利用可能なシステムリソースの一部分でリンク容量をスケーリングするステップとをさらに含み得る。
【００１０】
いくつかの実施形態では、ネットワークアクセスポリシーは、選択条件を含むこともでき、RATとの通信を確立するステップは、その選択条件に基づく場合がある。そのような選択条件は、たとえば、最高の推定された利用可能な帯域幅を有するRATを選択するための第1のRAT選択条件と、第2のRATを選択するための第2のRAT選択条件とを含み得る。いくつかの実施形態では、モバイルデバイスは、第1のRAT選択条件に合致することを判定し、第1のRAT選択条件に合致することに基づいてRATとの通信を確立することができる。追加または代替として、モバイルデバイスは、第2のRAT選択条件に合致することを判定し、第2のRAT選択条件に合致することに基づいて第2のRATとの通信を確立することができる。第1のRAT選択条件は、たとえば、第1の帯域幅関連のパラメータしきい値を含むことができ、第2のRAT選択条件は、たとえば、第2の帯域幅関連のパラメータしきい値を含むことができる。さらに、モバイルデバイスは、いくつかの実施形態では、RATのうちの1つの第1の帯域幅関連のパラメータが第1の帯域幅関連のパラメータしきい値に合致することを判定し、それによって第1のRAT条件を達成し、第2のRATの第2の帯域幅関連のパラメータが第2の帯域幅関連のパラメータしきい値に合致しないことを判定し、それによって第2のRAT条件を達成することができない。
【００１１】
別の態様では、モバイルデバイスにおいてネットワーク選択を管理するためのコンピュータプログラム製品について説明する。コンピュータプログラム製品は、一般に、モバイルデバイスとワイヤレス通信するために2つ以上の無線アクセス技術(RAT)が利用可能であることを判定し、1つまたは複数のネットワーク特性に基づいてRATの使用を示すネットワークアクセスポリシーにアクセスし、1つまたは複数の所定の基準に基づいてネットワークアクセスポリシーを選択的に適用し、ネットワークアクセスポリシーに基づいて2つ以上のRATの各々に関する1つまたは複数のパラメータを判定し、1つまたは複数のパラメータおよびネットワークアクセスポリシーに基づいてRATとの通信を確立するためのコードを含む、コンピュータ可読記録媒体を含む。
【００１２】
いくつかの実施形態では、1つまたは複数のパラメータを判定するためのコードは、1つまたは複数のRATに関する利用可能な帯域幅を推定し、最高の推定された利用可能な帯域幅を有するRATを識別するためのコードを含む。利用可能な帯域幅を推定するためのコードは、いくつかの実施形態では、利用可能な無線リンク帯域幅を推定するためのコード、またはバックホール帯域幅を判定するためのコードを含み得る。バックホール帯域幅を判定するためのコードは、たとえば、別のノードからのメッセージにおいてバックホール帯域幅を受信するためのコード、またはバックホール帯域幅を推定するためのコードを含み得る。利用可能な帯域幅を推定するためのコードは、いくつかの実施形態では、モバイルデバイスにおいてリンク容量を測定し、ネットワークロードに関連するパラメータを受信または推定するためのコードを含み得る。いくつかの実施形態では、コンピュータプログラム製品は、第1のRATの第1の帯域幅関連のパラメータが第1の帯域幅関連のパラメータしきい値に合致することを判定し、第2のRATの第2の帯域幅関連のパラメータが第2の帯域幅関連のパラメータしきい値に合致しないことを判定し、第1のRATとの通信を確立するためのコードをさらに含む。
【００１３】
いくつかの実施形態では、1つまたは複数の所定の基準は、たとえば、現在時刻、モバイルデバイスの現在位置、2つ以上のRATのうちの1つにアクセスするコスト、1つまたは複数のRAT上のモバイルデバイスのローミング状況、モバイルデバイスの契約プロファイル、モバイルデバイスの現在のデータ使用量、またはWLANもしくはセルラーアクセスノードの識別情報のうちの1つまたは複数を含み得る。
【００１４】
別の態様では、モバイルデバイスにおいてネットワーク選択を管理するための装置について説明する。本装置は、一般に、モバイルデバイスとワイヤレス通信するために2つ以上の無線アクセス技術(RAT)が利用可能であることを判定するための手段と、1つまたは複数のネットワーク特性に基づいてRATの使用を示すネットワークアクセスポリシーにアクセスするための手段と、1つまたは複数の所定の基準に基づいてネットワークアクセスポリシーを選択的に適用するための手段と、ネットワークアクセスポリシーに基づいて2つ以上のRATの各々に関する1つまたは複数のパラメータを判定するための手段と、1つまたは複数のパラメータおよびネットワークアクセスポリシーに基づいてRATとの通信を確立するための手段とを含む。
【００１５】
いくつかの実施形態では、1つまたは複数のパラメータを判定するための手段は、1つまたは複数のRATに関する利用可能な帯域幅を推定するための手段と、最高の推定された利用可能な帯域幅を有するRATを識別するための手段とを含み得る。利用可能な帯域幅を推定するための手段は、たとえば、利用可能な無線リンク帯域幅を推定するための手段、またはバックホール帯域幅を判定するための手段を含み得る。バックホール帯域幅を判定するための手段は、たとえば、別のノードからのメッセージにおいてバックホール帯域幅を受信するための手段、またはバックホール帯域幅を推定するための手段を含み得る。いくつかの実施形態では、利用可能な帯域幅を推定する手段は、モバイルデバイスにおいてリンク容量を測定し、ネットワークロードに関連するパラメータを受信または推定するための手段を含み得る。いくつかの実施形態では、選択条件は、新しいRATを選択することに対してバイアスするためのヒステリシス値を含む。
【００１６】
いくつかの実施形態では、1つまたは複数の所定の基準は、たとえば、現在時刻、モバイルデバイスの現在位置、2つ以上のRATのうちの1つにアクセスするコスト、1つまたは複数のRAT上のモバイルデバイスのローミング状況、モバイルデバイスの契約プロファイル、モバイルデバイスの現在のデータ使用量、またはWLANもしくはセルラーアクセスノードの識別情報のうちの1つまたは複数を含み得る。
【００１７】
いくつかの実施形態では、本装置は、第1のRATの第1の帯域幅関連のパラメータが第1の帯域幅関連のパラメータしきい値に合致することを判定するための手段と、第2のRATの第2の帯域幅関連のパラメータが第2の帯域幅関連のパラメータしきい値に合致しないことを判定するための手段と、第1のRATとの通信を確立するための手段とを含むこともできる。各RATに関する利用可能な帯域幅を推定するための手段は、いくつかの実施形態では、帯域幅を示す1つまたは複数のパラメータの関数として推定するための手段を含み得る。帯域幅を示す1つまたは複数のパラメータは、たとえば、信号対ノイズ比(SNR)、リソース利用率、ノイズライズ、RATロード、利用可能なコードの数、スロット利用率、利用可能な送信電力、利用可能なリソースブロックの数、またはアクセスノードバックホールの容量および利用率のうちの1つまたは複数を含み得る。帯域幅を示す1つまたは複数のパラメータの関数として推定するための手段は、たとえば、無線リンクの品質およびリンク容量を推定するための手段と、モバイルデバイスが利用可能なシステムリソースの一部分を推定するための手段と、各RATに関する利用可能な帯域幅を生成するためにモバイルデバイスが利用可能なシステムリソースの一部分でリンク容量をスケーリングするための手段とを含み得る。
【００１８】
いくつかの実施形態では、ネットワークアクセスポリシーは、選択条件を含むことができ、最高の推定された利用可能な無線リンク帯域幅を有するRATとの通信を確立するステップは、その選択条件に基づく場合がある。本選択条件は、たとえば、最高の推定された利用可能な帯域幅を有するRATを選択するための第1のRAT選択条件と、第2のRATを選択するための第2のRAT選択条件とを含み得る。本装置は、いくつかの実施形態では、第1のRAT選択条件に合致することを判定するための手段をさらに含むことができ、最高の推定された利用可能な帯域幅を有するRATとの通信を確立するための手段は、第1のRAT選択条件に合致したことにさらに基づく場合がある。本装置は、いくつかの実施形態では、第2のRAT選択条件に合致することを判定するための手段と、第2のRAT選択条件に合致することに基づいて第2のRATとの通信を確立するための手段とをさらに含み得る。第1のRAT選択条件は、たとえば、第1の帯域幅関連のパラメータしきい値を含むことができ、第2のRAT選択条件は、第2の帯域幅関連のパラメータしきい値を含むことができる。本装置は、いくつかの実施形態では、RATのうちの1つの第1の帯域幅関連のパラメータが第1の帯域幅関連のパラメータしきい値に合致することを判定するための手段であって、それによって第1のRAT条件を達成する、手段と、第2のRATの第2の帯域幅関連のパラメータが第2の帯域幅関連のパラメータしきい値に合致しないことを判定するための手段であって、それによって第2のRAT条件を達成しない、手段とをさらに含み得る。
【００１９】
別の態様では、ネットワーク選択を管理するためのデバイスが提供される。本デバイスは、一般に、プロセッサと、プロセッサと電子通信中のメモリとを含む。いくつかの実施形態によるメモリは、モバイルデバイスとワイヤレス通信するために2つ以上の無線アクセス技術(RAT)が利用可能であることを判定し、1つまたは複数のネットワーク特性に基づいてRATの使用を示すネットワークアクセスポリシーにアクセスし、1つまたは複数の所定の基準に基づいてネットワークアクセスポリシーを選択的に適用し、ネットワークアクセスポリシーに基づいて2つ以上のRATの各々に関する1つまたは複数のパラメータを判定し、1つまたは複数のパラメータおよびネットワークアクセスポリシーに基づいてRATとの通信を確立するために、プロセッサによって実行可能な命令を具現化する。
【００２０】
いくつかの実施形態では、本命令は、1つまたは複数のRATに関する利用可能な帯域幅を推定し、最高の推定された利用可能な帯域幅を有するRATを識別するためにプロセッサによってさらに実行可能であり得る。本命令は、利用可能な無線リンク帯域幅を推定すること、またはバックホール帯域幅を判定することのうちの少なくとも1つを介して利用可能な帯域幅を推定するためにプロセッサによってさらに実行可能であり得る。いくつかの実施形態では、本命令は、別のノードからのメッセージにおけるバックホール帯域幅の少なくとも1つの受信、またはバックホール帯域幅を推定することを介してバックホール帯域幅を判定するためにプロセッサによってさらに実行可能であり得る。他の実施形態では、本命令は、モバイルデバイスにおいてリンク容量を測定し、ネットワークロードに関連するパラメータを受信または推定するためにプロセッサによってさらに実行可能であり得る。いくつかの実施形態では、ネットワークアクセスポリシーは、第1のRATに関する第1の帯域幅関連のパラメータしきい値と、第2のRATに関する第2の帯域幅関連のパラメータしきい値とを含む。本命令は、たとえば、第1のRATの第1の帯域幅関連のパラメータが第1の帯域幅関連のパラメータしきい値に合致することを判定し、第2のRATの第2の帯域幅関連のパラメータが第2の帯域幅関連のパラメータしきい値に合致しないことを判定し、第1のRATとの通信を確立するためにプロセッサによってさらに実行可能であり得る。
【００２１】
いくつかの実施形態では、1つまたは複数の所定の基準は、たとえば、現在時刻、モバイルデバイスの現在位置、2つ以上のRATのうちの1つにアクセスするコスト、1つまたは複数のRAT上のモバイルデバイスのローミング状況、モバイルデバイスの契約プロファイル、モバイルデバイスの現在のデータ使用量、またはWLANもしくはセルラーアクセスノードの識別情報のうちの1つまたは複数を含む。
【００２２】
説明する方法および装置の適用性のさらなる範囲は、以下の詳細な説明、請求項および図面から明らかとなろう。詳細な説明および具体的な例は、説明の趣旨および範囲内の様々な変更および修正が当業者に明らかになると思われるため、例示として与えられるものにすぎない。
【００２３】
本発明の性質および利点のさらなる理解が、以下の図面を参照することによって実現され得る。添付の図面では、類似の構成要素または特徴は、同じ参照ラベルを有する場合がある。さらに、同じタイプの様々な構成要素は、参照ラベルの後に、複数の類似の構成要素を区別するダッシュおよび第2のラベルを付けることによって、区別され得る。本明細書内で第1の参照ラベルのみが使用される場合、その説明は、第2の参照ラベルとは無関係に、同じ第1の参照ラベルを有する類似の構成要素のうちのいずれか1つに適用可能である。
【００２４】
開示される態様を限定するためではなく例示するために提供される添付の図面とともに、開示される態様が以下に記載され、同様の記号表示は同様の要素を示している。
【図面の簡単な説明】
【００２５】
【図１】ワイヤレス通信システムのブロック図である。
【図２】ワイヤレス通信システムの別のブロック図である。
【図３】様々な実施形態による、ワイヤレス通信システムの一例を示し、モバイルデバイスの一例を示すブロック図である。
【図４】様々な実施形態による、ネットワーク選択モジュールの一例のブロック図である。
【図５】様々な実施形態による、ワイヤレス通信システムの一例を示し、基地局の一例を示すブロック図である。
【図６】様々な実施形態による、基地局およびモバイルデバイスを含むワイヤレス通信システムの一例のブロック図ある。
【図７】様々な実施形態による、ネットワーク選択のための方法のフローチャートである。
【図８】様々な実施形態による、ネットワーク選択のための別の方法のフローチャートである。
【図９】様々な実施形態による、ネットワーク選択のための別の方法のフローチャートである。
【図１０】様々な実施形態による、ワイヤレス通信システム内のモバイルデバイスによって実行され得る方法のフローチャートである。
【発明を実施するための形態】
【００２６】
本開示の様々な態様は、選択的に適用されるネットワークアクセスポリシーを有効にするネットワーク選択構成要素および/またはアルゴリズムをモバイルデバイスに提供する。ネットワークアクセスポリシーは、適用される際、様々な無線アクセス技術(RAT)を使用して動作し得る2つ以上の利用可能なアクセスノードとともにモバイルデバイスが推定した、またはそれが受けた利用可能な帯域幅などの無線リンク状態に少なくとも部分的に基づいてネットワークアクセスノードの選択のための選択プロシージャを規定する。いくつかの例では、モバイルデバイスは、ワイヤレスワイドエリアネットワーク(WWAN)アクセスノードとしばしば呼ばれるセルラーアクセスノードの第1のRATの1つまたは複数、およびWiFiもしくはワイヤレスローカルエリアネットワーク(WLAN)アクセスノードなどの異なるアクセスノードの異なるRATの1つまたは複数などの、複数のアクセスノードのうちから選択するように構成され得る。モバイルデバイスが使用するための最高の推定される利用可能な帯域幅をどのRATが有するかなどの、ネットワーク状態に少なくとも部分的に基づいて、選択されたアクセスノードとの通信が確立され得る。
【００２７】
たとえば、モバイルデバイスが送信すべきパケットを有するとき、またはモバイルデバイスにおいて、もしくは周期的な評価の結果として、もしくはいくつかの状態(たとえば、バックホール状態または無線状態)の変化に応答して、新しいトラフィックフローが開始するとき、初期のネットワーク登録もしくは呼の確立プロセスにおいて、アイドルモードのモバイルデバイスの再選択プロシージャにおいて、またはアクティブな呼を有する接続モードのモバイルデバイスのハンドオーバプロシージャにおいて、本装置および方法が使用され得る。本開示の様々な態様は、通信が確立され得る2つ以上のRATとともに提示されるとき、他の状態または選好と随意に組み合わせて、モバイルデバイスが、無線リンク状態、たとえば利用可能な帯域幅を考慮することを選択的に可能にすることによってネットワーク選択を管理するための、上述のANDSFなどの静的な解決策と比較して効率的かつ動的な解決策を提供し得る。好ましいシステムが選択された後、モバイルデバイスは、他のシステム上の通信を停止させ、選択されたシステムにトラフィックをルーティングすることができるか、または好ましくないシステム上の進行中の通信を継続させ、好ましいシステムにいくつかの新しいトラフィックのみをルーティングすることができる。
【００２８】
本明細書で説明する技法は、CDMA、TDMA、FDMA、OFDMA、SC-FDMAおよび他のシステムのような、様々なワイヤレス通信システムに使用され得る。「システム」および「ネットワーク」という用語は、しばしば互換的に使用される。CDMAシステムは、CDMA2000、Universal Terrestrial Radio Access(UTRA)などの無線技術を実装することができる。CDMA2000は、IS-2000、IS-95、およびIS-856規格をカバーする。IS-2000のリリース0およびAは、一般にはCDMA2000 1X、1Xなどと呼ばれる。IS-856(TIA-856)は、一般にはCDMA2000 1xEV-DO、高速パケットデータ(HRPD:High Rate Packet Data)などと呼ばれる。UTRAは、Wideband CDMA(WCDMA(登録商標))およびCDMAの他の変形形態を含む。TDMAシステムは、モバイル通信用グローバルシステム(GSM(登録商標):Global System for Mobile Communications)などの無線技術を実装し得る。OFDMAシステムは、ウルトラモバイルブロードバンド(UMB:Ultra Mobile Broadband)、発展型UTRA(E-UTRA)、IEEE802.11(Wi-Fi)、IEEE802.16(WiMAX)、IEEE802.20、Flash-OFDMなどの無線技術を実装し得る。UTRAおよびE-UTRAは、ユニバーサルモバイル通信システム(UMTS)の一部である。3GPPロングタームエボリューション(LTE:Long Term Evolution)およびLTE-Advanced(LTE-A)は、E-UTRAを用いるUMTSの新しいリリースである。UTRA、E-UTRA、UMTS、LTE、LTE-AおよびGSM(登録商標)は、「第3世代パートナーシッププロジェクト」(3GPP)という名称の組織の文書に記載されている。CDMA2000およびUMBは、「第3世代パートナーシッププロジェクト2」(3GPP2)という名称の組織の文書に記載されている。本明細書で説明する技法は、上記のシステムおよび無線技術、ならびに他のシステムおよび無線技術に使用され得る。
【００２９】
したがって、以下の説明は例を提供し、特許請求の範囲で述べられる範囲、適用可能性、または構成を限定するものではない。本開示の趣旨および範囲から逸脱することなく、論じられる要素の機能および構成に変更を加えることができる。様々な実施形態は、様々な手順または構成要素を、適宜、省略、置換、または追加することができる。たとえば、説明する方法は、説明する順序とは異なる順序で実行することができ、様々なステップが加えられ、省略され、または結合され得る。また、いくつかの実施形態に関して説明する特徴が、他の実施形態と組み合わされ得る。
【００３０】
まず図1を参照すると、図は、ワイヤレス通信システム100の一例を示す。システム100は、基地局(またはセル)105、通信デバイス115、およびネットワーク130を含む。基地局105は、様々な実施形態においてネットワーク130または基地局105の一部であり得る基地局コントローラ(図示せず)の制御のもとで通信デバイス115と通信し得る。基地局105は、バックホールリンク132を介してネットワーク130と制御情報および/またはユーザデータを通信し得る。バックホールリンクは、有線バックホールリンク(たとえば、銅、ファイバなど)および/またはワイヤレスバックホールリンク(たとえば、マイクロ波など)であり得る。実施形態では、基地局105は、直接または間接的に、有線またはワイヤレスの通信リンクであり得るバックホールリンク134を介して互いに通信し得る。システム100は、複数の搬送波(様々な周波数の波形信号)での動作をサポートする可能性がある。マルチキャリア送信機は、複数のキャリアで変調信号を同時に送信することができる。たとえば、各通信リンク125は、上記で説明した様々な無線技術によって変調されたマルチキャリア信号であり得る。各変調信号は、異なる搬送波で送信される可能性があり、制御情報(たとえば、基準信号、制御チャネルなど)、オーバーヘッド情報、データなどを搬送し得る。
【００３１】
基地局105は、1つまたは複数の基地局アンテナを介してデバイス115とワイヤレス通信し得る。基地局105のサイトの各々は、それぞれの地理的なエリア110に通信カバレッジを提供することができる。いくつかの実施形態では、基地局105は、トランシーバ基地局、無線基地局、アクセスポイント、無線トランシーバ、基本サービスセット(BSS)、拡張サービスセット(ESS)、ノードB、eノードB(eNB)、ホームノードB、ホームeノードBと呼ばれるか、またはいくつかの他の適切な用語で呼ばれ得る。基地局のカバレージエリア110は、カバレージエリアの一部のみを構成するセクタ(図示せず)に分割され得る。システム100は、様々なタイプの基地局105(たとえば、マクロ基地局、マイクロ基地局、および/またはピコ基地局)を含み得る。様々な技術のカバレージエリアが重なる場合がある。
【００３２】
通信デバイス115は、ワイヤレスネットワーク100全体に分散され、各デバイスは固定されていてもまたは移動式であってもよい。通信デバイス115はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、ユーザ機器、モバイルクライアント、クライアントと呼ばれるか、またはいくつかの他の適切な用語で呼ばれ得る。通信デバイス115は、携帯電話、携帯情報端末(PDA)、ワイヤレスモデム、ワイヤレス通信デバイス、ハンドヘルドデバイス、タブレットコンピュータ、ラップトップコンピュータ、コードレス電話、ワイヤレスローカルループ(WLL)局などであり得る。通信デバイスは、マクロ基地局、ピコ基地局、フェムト基地局、リレー基地局などと通信することができ、たとえば、様々なセルラー/WWAN RATおよびWiFi/WLAN RATなどの複数の異なるRAT上での通信をサポートすることもできる。
【００３３】
ネットワーク100に示す送信リンク125は、モバイルデバイス115から基地局105へのアップリンク(UL)送信、および/または基地局105からモバイルデバイス115へのダウンリンク(DL)送信を含み得る。ダウンリンク送信は、順方向リンク送信とも呼ばれ得るが、アップリンク送信は、逆方向リンク送信とも呼ばれ得る。実施形態では、送信リンク125は、トラフィックフレーム内で双方向トラフィックを搬送するFDD搬送波またはTDD搬送波であり得る。基地局105とモバイルデバイス115との間で、データトラフィックが送信され得る。データを送信するために使用されるエアインターフェースのリソースの基本ユニットは、リソースブロック(RB)である。基地局105は、データ転送のために、RBをモバイルデバイス115に割り振るスケジューラを含み得る。RBは、いくつかのデータフレームおよび関連のサブフレームを提供するように構成され得るが、各関連のサブフレームは、いくつかのリソース要素(RE)を有する。
【００３４】
いくつかの実施形態では、システム100は、LTE/LTE-Aネットワークである。LTE/LTE-Aネットワークでは、発展型ノードB(eNB)およびユーザ機器(UE)という用語は、一般に、基地局105および通信デバイス115についてそれぞれ説明するために使用され得る。システム100は、様々なタイプのeNBが様々な地理的領域にカバレージを提供する異種LTE/LTE-Aネットワークであり得る。たとえば、各eNB105は、マクロセル、ピコセル、フェムトセル、および/または他のタイプのセルに通信カバレージを提供し得る。マクロセルは、一般に比較的広い地理的なエリア(たとえば、半径数キロメートル)をカバーし、ネットワークプロバイダとのサービス契約により、UEによる無制限のアクセスを可能にし得る。ピコセルは、一般に比較的狭い地理的なエリアをカバーし、ネットワークプロバイダとのサービス契約により、UEによる無制限のアクセスを可能にし得る。フェムトセルも、一般に比較的狭い地理的なエリア(たとえば住宅)をカバーし、無制限のアクセスに加えて、フェムトセルと関連するUE(たとえば、非公開の加入者グループ(CSG)のUE、住宅内のユーザのためのUEなど)による制限されたアクセスを提供することもできる。マクロセルのためのeNBは、マクロeNBと呼ばれ得る。ピコセルのためのeNBは、ピコeNBと呼ばれ得る。また、フェムトセルのためのeNBは、フェムトeNBまたはホームeNBと呼ばれ得る。eNBは、1つまたは複数(たとえば、2つ、3つ、4つなど)のセルをサポートすることができる。
【００３５】
LTE/LTE-Aネットワークアーキテクチャによる通信システム100は、発展型パケットシステム(EPS)100と呼ばれることがある。EPS100は、1つまたは複数のUE115、発展型UMTS地上波無線アクセスネットワーク(E-UTRAN)、発展型パケットコア(EPC)(たとえば、ネットワーク130)、ホーム加入者サーバ(HSS)、および事業者のIPサービスを含む場合がある。EPSは、他のRATを使用して他のアクセスネットワークと相互接続し得る。たとえば、システム100は、1つまたは複数のサービングGPRSサポートノード(SGSN)を介してUTRANベースのネットワークおよび/またはCDMAベースのネットワークと相互接続し得る。たとえば、モバイルデバイス115-aは、E-UTRANの基地局105、CDMAベースのネットワークのノードB150、およびWiFi/WLANアクセスポイント140の重複するカバレージエリア内にあり得る。送信リンク145および155は、モバイルデバイス115-aを、WiFi/WLANアクセスポイント140およびノードB150にそれぞれ接続させ得る。いくつかの実施形態によれば、モバイルデバイス115-aは、基地局105、ノードB150、またはWiFi/WLANアクセスポイント140を介してモバイルデバイス115-aがシステムに接続するかどうかを判定するために選択的に適用され得るネットワーク選択ポリシーを含み得る。そのような判定は、以下でより詳細に説明するように、モバイルデバイス115-aによって測定され得る、および/またはそれぞれのネットワークによってモバイルデバイス115-aに報告され得る、それぞれのネットワークに関連するネットワークパラメータに基づく可能性がある。UE115の移動度および/または負荷分散をサポートするために、システム100は、ソース基地局105とターゲット基地局105との間でモバイルデバイス115のハンドオーバをサポートし得る。いくつかの実施形態によれば、システムは、同じRAT(たとえば、他のE-UTRANネットワーク)の基地局間のRAT内部ハンドオーバと、異なるRAT(たとえば、E-UTRANからCDMAまたはWLANへ、など)のノードB、基地局、および/またはネットワークアクセスポイント間のRAT間ハンドオーバとをサポートすることもできる。システム100は、パケット交換サービスを提供し得るが、当業者なら容易に諒解するように、本開示の全体を通して提示する様々な概念は、回線交換サービスを提供するネットワークに拡張され得る。
【００３６】
様々な開示された実施形態のいくつかを収容することができる通信ネットワークは、階層化プロトコルスタックに従って動作するパケットベースネットワークである可能性がある。ユーザプレーンでは、ベアラまたはパケットデータコンバージェンスプロトコル(PDCP)レイヤにおける通信は、IPベースである可能性がある。無線リンク制御(RLC)レイヤは、論理チャネルを介して通信するためにパケットセグメンテーションおよび再構成を実行することができる。媒体アクセス制御(MAC)レイヤは、優先権処理および論理チャネルのトランスポートチャネルへの多重化を実行することができる。MACレイヤは、リンク効率を改善するためにMACレイヤにおける再伝送を提供するのにハイブリッドARQ(HARQ)を使用することもできる。制御プレーンでは、無線リソース制御(RRC)プロトコルレイヤは、UEとユーザプレーンデータに使用されるネットワークとの間のRRC接続の確立、構成、およびメンテナンスを提供し得る。物理レイヤでは、トランスポートチャネルは、物理チャネルにマッピングされ得る。
【００３７】
LTE/LTE-Aは、ダウンリンクで直交周波数分割多元接続(OFDMA)を利用し、アップリンクで単一搬送波周波数分割多元接続(SC-FDMA)を利用する。OFDMAおよびSC-FDMAは、システムの帯域幅を複数の(K個の)直交サブキャリアに分割するが、この複数の直交サブキャリアは、一般に、トーン、ビンなどとも呼ばれる。各サブキャリアは、データで変調され得る。隣接するサブキャリア間の間隔は、固定される可能性があり、サブキャリアの総数(K)は、システム帯域幅に依存し得る。たとえば、Kは、1.4、3、5、10、15、または20メガヘルツ(MHz)の対応するシステム帯域幅(保護帯域を有する)に対して、15キロヘルツ(KHz)のサブキャリア間隔で、それぞれ、72、180、300、600、900、または1200個に等しくなり得る。システム帯域幅はまた、サブバンドに区分され得る。たとえば、サブバンドは1.08MHzをカバーすることができ、1、2、4、8、または16個のサブバンドが存在し得る。
【００３８】
図2は、様々な実施形態によるネットワークアーキテクチャ200を示す図であり、図1のシステム100の少なくとも一部を形成するシステムの一例であり得る。ネットワークアーキテクチャ200は、様々なRATによって動作する複数の異なるアクセスノードを含み得る。ネットワークアーキテクチャ200は、1つまたは複数のモバイルデバイス115-b、複数のeノードB105-a、105-bを有する発展型UMTS地上波無線アクセスネットワーク(E-UTRAN)205、発展型パケットコア(EPC)230、ホーム加入者サーバ(HSS)220、および事業者のIPサービス222を含み得る。他のアクセスネットワークはまた、たとえば、1つまたは複数の他のセルラー/WWANアクセスノード150-a、および/または1つもしくは複数のWiFi/WLANアクセスノード140-aを介してモバイルデバイス115-bにとって利用可能であり得る。いくつかの実施形態によれば、モバイルデバイス115-bは、eNB105、他のセルラー/WWANアクセスノード150-a、またはWiFi/WLANアクセスノード140-aを介して、モバイルデバイス115-aがシステムに接続するかどうかを判定し得るネットワーク選択ポリシーを含み得る。いくつかの実施形態では、以下でより詳細に説明するように、ワイヤレスデバイス115-bは、異なるアクセスポイントの各々に対して判定され得る推定帯域幅に基づいて、そのような判定を行うためにネットワークアクセスポリシーを選択的に適用し得る。ネットワークアクセスポリシーは、たとえば、トラフィックおよび/または負荷分散がネットワーク事業者にとって望ましい可能性がある特定の時刻に選択的に適用され得る。図2に示すように、ネットワークアーキテクチャ200は、パケット交換サービスを提供するが、当業者が容易に諒解するように、本開示の全体を通して提示される様々な概念は、回線交換サービスを提供するネットワークに拡張され得る。
【００３９】
図2の例では、例示的なシステムの説明のために、LTEシステムの様々な構成要素が示されるが、本明細書で説明する概念は、他のタイプのシステムおよびネットワークアーキテクチャに等しく適用可能であることを理解されたい。この例では、E-UTRAN205は、eNB105-aおよび他のeNB105-bを含み得る。eNB105-aは、モバイルデバイス115-bに向けたユーザプレーンおよび制御プレーンのプロトコル終端を提供し得る。eNB105-aは、X2インターフェース(たとえば、バックホール)を介して他のeNB105-bに接続され得る。eNB105-aは、EPC230へのアクセスポイントをモバイルデバイス115-aに提供し得る。eNB105-aは、S1インターフェースによってEPC230に接続され得る。EPC230は、1つまたは複数のモビリティ管理エンティティ(MME)232、1つまたは複数のサービングゲートウェイ234、および1つまたは複数のパケットデータネットワーク(PDN)ゲートウェイ236を含み得る。MME232は、モバイルデバイス115-bとEPC230との間のシグナリングを処理する制御ノードであり得る。一般に、MME232は、ベアラおよび接続管理を提供し得る。すべてのユーザIPパケットは、サービングゲートウェイ234を介して転送することができ、サービングゲートウェイ234自体は、PDNゲートウェイ236に接続され得る。PDNゲートウェイ236は、モバイルデバイスのIPアドレス割振りならびに他の機能を提供し得る。PDNゲートウェイ236は、事業者のIPサービス222に接続され得る。事業者のIPサービス222は、インターネット、イントラネット、IPマルチメディアサブシステム(IMS)、およびパケット交換(PS)ストリーミングサービス(PSS)を含み得る。上述のように、MME232、サービングゲートウェイ234、1つまたは複数のPDNゲートウェイ236は、eNB105とともに、概して、ネットワークエンティティと呼ばれる場合がある。
【００４０】
ここで図3を参照すると、様々な実施形態による例示的なシステム300が示され、システム300は、図1のシステム100または図2のシステム200の少なくとも一部を形成するシステムの一例であり得る。システム300は、1つまたは複数のワイヤレスネットワークへのアクセスを受信するために、基地局105-c、他のWWANアクセスノード150-c、および/またはWiFi/WLANアクセスノード140-cと通信し得るモバイルデバイス115-cを含む。モバイルデバイス115-cは、図1および図2のモバイルデバイス115の一例であり得る。モバイルデバイス115-cは、受信機モジュール310および送信機モジュール315に通信可能に結合された1つまたは複数のアンテナ305を含み、受信機モジュール310および送信機モジュール315は、次に制御モジュール320に通信可能に結合される。制御モジュール320は、1つまたは複数のプロセッサモジュール325、ソフトウェア335を含み得るメモリ330、およびネットワーク選択モジュール340を含む。ソフトウェア335は、プロセッサモジュール325および/またはネットワーク選択モジュール340が実行するために存在し得る。
【００４１】
プロセッサモジュール325は、インテリジェントハードウェアデバイス、たとえば、中央処理ユニット(CPU)、マイクロコントローラ、特定用途向け集積回路(ASIC)などを含み得る。メモリ330は、ランダムアクセスメモリ(RAM)および読取り専用メモリ(ROM)を含み得る。メモリ330は、実行される際(またはコンパイルされ実行される際)、本明細書で説明する様々な機能(たとえば、RAT識別、ネットワーク選択、帯域幅推定など)をプロセッサモジュール325および/またはネットワーク選択モジュール340に実行させるように構成された命令を含む、コンピュータ可読のコンピュータ実行可能ソフトウェアコード335を記憶し得る。ネットワーク選択モジュール340は、プロセッサモジュール325の一部として実装され得るか、または、たとえば1つまたは複数の別個のCPUまたはASICを使用して実装され得る。送信機モジュール315は、上記で説明したように、1つまたは複数のワイヤレス通信ネットワーク(たとえば、E-UTRAN、UTRANなど)との通信を確立するために、基地局105-c、WWANアクセスポイント150-c、およびWiFi/WLANアクセスポイント140-c(および/または他の基地局)に送信し得る。ネットワーク選択モジュール340は、複数の利用可能なアクセスノード105-c、150-c、および140-cのうちの1つとの通信の確立を導くために、推定された利用可能な帯域幅に少なくとも部分的に基づいて、複数の利用可能なRATのうちの1つの選択を制御するように構成され得る。受信機モジュール310は、上述のように、基地局105-c(および/または他の基地局)からのダウンリンク送信を受信し得る。ダウンリンク送信は、モバイルデバイス115-cにおいて受信され処理される。モバイルデバイス115-cの構成要素は、適用可能な機能のいくつかまたはすべてをハードウェアで実行するように構成された1つまたは複数の特定用途向け集積回路(ASIC)により個別にまたは集合的に実装され得る。言及されたモジュールの各々は、モバイルデバイス115-cの動作に関連する1つまたは複数の機能を実行するための手段である可能性がある。
【００４２】
図4は、RAT可用性判定モジュール405、ネットワークアクセスモジュール410、および帯域幅判定モジュール415を含む、ネットワーク選択モジュール340-aの一例を示す。RAT可用性判定モジュール405は、モバイルデバイスが複数の異なるRATと通信することができ得ることを判定し得る。複数の利用可能なRATは、上記で説明したように、限定はしないが、セルラーまたはワイヤレスワイドエリアネットワーク(WWAN)技術を含む第1のRAT、およびWiFiまたはワイヤレスローカルエリアネットワーク(WLAN)技術を含む第2のRATなどの、複数の異なるタイプの無線アクセス技術のうちのいずれかを含み得る。各RATタイプに関して、複数のネットワークが利用可能であり得る。たとえば、WWAN RATまたはWLAN RATの場合、第1および第2のネットワーク事業者からのネットワークが利用可能であり得る。それに応じて、アクセスノード105-c、140-c、および150-cは各々、インターネットなどのパケット交換ネットワークなどの、1つまたは複数の通信ネットワークへのそれぞれのバックホールリンクを有し得る。
【００４３】
ネットワークアクセスモジュール410は、アクセスノード105-c、140-c、および150-cを介してアクセスされ得る特定のネットワークとの通信を確立するのに必要であり得る、任意の必要なネットワークアクセス証明または他の情報を提供するように構成され得る。さらに、ネットワークアクセスモジュール410は、アクセスノード105-c、140-c、および150-cを介して利用可能な利用可能ネットワークのうちの1つが、ネットワークに関連する1つまたは複数のパラメータ(たとえば、推定されたネットワーク帯域幅)に基づく好ましいネットワークであり得ることを判定するために使用され得る、1つまたは複数のネットワーク選択ポリシーを含むか、またはそれにアクセスし得る。いくつかの例によれば、事業者は、モバイルデバイス115-cにネットワークアクセスポリシーを提供することができ、モバイルデバイス115-cは、通信を確立するためにネットワークを選択する1つまたは複数の所定の基準に基づいてネットワークアクセスポリシーを選択的に適用することができる。本明細書で使用する「通信を確立する」という用語は、限定はしないが、モバイルデバイスが送信すべきパケットを有するとき、モバイルデバイスにおいて、周期的な評価の結果として、いくつかの状態(たとえば、バックホール状態または無線状態)の変化に応答して、新しいトラフィックフローが開始するとき、アクセスノードにキャンプオンするための初期の登録、新しいアクティブな呼のために新しい接続を設定するための新しい呼の確立プロシージャ(あるRATのアクセスノードとの既存のアクティブな呼を維持しながら、異なるRATの新しいアクセスノード上に新しいアクティブな呼を設定することを含み得る)、新しいアクセスノードへ切り替えるためのアイドルモードセル再選択プロシージャ、または新しいアクセスノードによってサービスされるように既存のアクティブな呼を切り替えるための接続モードハンドオーバプロシージャのうちの1つまたは複数を指し得る。好ましいRATとの「通信を確立した」後、モバイルデバイスは、他のシステム上のすべての通信を停止させ、好ましいRATにすべてのトラフィックをルーティングすることができるか、または好ましくないシステム上の進行中の通信を継続させ、好ましいRATにいくつかの新しいトラフィッ
クのみをルーティングすることができる。通信を確立することは、いくつかの選択されたフロー、またはデフォルト設定されたベアラなどのベアラのみに適用され得る。ネットワークアクセスポリシーは、上述のように、1つまたは複数の所定の基準に基づいて選択的に適用され得る。そのような所定の基準は、たとえば、現在時刻、モバイルデバイスの現在位置、2つ以上のRATのうちの1つにアクセスするコスト、モバイルデバイスのローミング状況、モバイルデバイスの契約プロファイル、またはモバイルデバイスの現在のデータ使用量、またはWLANもしくはセルラーアクセスノードの識別情報のうちの1つまたは複数を含み得る。ローミング状況は、RAT接続に特有のものであり、デバイスは、第1のRAT接続ではローミングし、同時に第2のRAT接続ではローミングしない可能性がある。アクセスノードの識別情報は、BSSID、SSIDもしくは他のネットワーク識別子、ローカルセル識別情報、グローバルユニークセル識別子、または公衆地上モバイル識別子もしくは他の関連の識別子であり得る。
【００４４】
いくつかの実施形態によれば、帯域幅判定モジュール415は、アクセスすべき特定のネットワークを判定するためにネットワークアクセスモジュール410によって使用され得る各利用可能なネットワークと関連する帯域幅の推定を判定し得る。たとえば、RAT可用性判定モジュール405によって複数の利用可能なRATを検出すると、ネットワークアクセスモジュール410は、通信を確立するために複数の利用可能なRATのうちの1つを選択する方法を規定するネットワークアクセスポリシーを取得し得る。たとえば、ネットワークアクセスモジュール410は、たとえばモバイルデバイスのメモリ(たとえば、図3のメモリ330)内のネットワークアクセスポリシーのローカルに記憶されたバージョンにアクセスし得る。他の例では、ネットワークアクセスモジュール410は、ネットワークアクセスポリシー、または、複数の利用可能なアクセスノード105-c、140-c、および150-cのうちの1つなどのネットワークエンティティからの以前に記憶されたバージョンへの更新を受信し得る。
【００４５】
ネットワークアクセスポリシーは、通信を確立するためにネットワークを選択する際に考慮するためのいくつかの基準を含み得る。たとえば、ネットワークアクセスポリシーは、帯域幅判定モジュール415によって判定される推定された利用可能な帯域幅のうちの最高のものを有するRATを選択するようにネットワークアクセスモジュール410を構成する選択最速RAT(SFR)モードを含み得る。帯域幅判定モジュール415は、複数の利用可能なRATのうちの複数に関する推定された利用可能な帯域幅を判定し得る。たとえば、帯域幅判定モジュール415は、図3の基地局105-cに対応する第1のRATに関する第1の推定値、WWANアクセスノード150-cに関する第2の推定値、およびWiFi/WLANアクセスノード140-cに対応するRATに関する第3の推定値を判定し得る。推定された利用可能な帯域幅は、各RATに関する各無線アクセスノードの無線リンクおよび/またはバックホールリンクの1つまたは複数の帯域幅関連のパラメータまたは帯域幅を示すパラメータに基づく可能性がある。
【００４６】
さらに、他の例では、ネットワークアクセスポリシーは、加えて、満たされるべき1つまたは複数の選択条件を含み得る。たとえば、選択条件は、限定はしないが、動作条件、RAT特有の選択条件、しきい値条件、およびヒステリシス条件の各々のうちの1つまたは複数を含み得る。たとえば、動作条件は、ネットワークの識別情報(たとえば、その識別情報が事業者WLANを指すときに適用する)、時刻、位置、アクセスのコスト(たとえば、事業者WLANへのアクセスのコストが事業者セルラーにアクセスするコストと同じか、またはそのコストの所与のパーセンテージであるとき適用する)、ローミング状況、認証方法(たとえば、WLAN上で、UEにSIMを提供した事業者との関係を暗示することを認証するためにEAPが使用されるとき適用する)、所与の契約にマッチングする契約プロファイル(たとえば、契約プロファイルはWLANおよびセルラー上の限定されないデータを含む)、およびデータ使用量しきい値に合致する現在のデータ使用量(たとえば、UEのユーザは、1か月に2GBを有し、請求サイクルの20日目に100MBのみを使用した)を含み得る。他の例では、動作条件は、所与の事業者との関係を識別する、および/またはコストを識別するか、もしくはコストに関連するパラメータに関連し得る。上述のように、ネットワークアクセスポリシーは、たとえば、いくつかの実施形態では、説明した動作条件のうちの1つまたは複数を含み得る、1つまたは複数の所定の基準に基づいて選択的に適用され得る。ネットワークアクセスポリシー内の追加のRAT特有の選択条件は、RATを選択するかまたは選択しないことを判定することに関連する1つまたは複数のしきい値などの、所与のRATを選択するために実現する、所与のRATに関する1つまたは複数の条件を含み得る。加えて、たとえば、ヒステリシス条件は、たとえばピンポン効果を回避するために新しいRATを選択することに照らして、モバイルデバイスが現在通信中である既存のRATを維持することをバイアスするパラメータ値またはしきい値であり得る。
【００４７】
したがって、ネットワークアクセスポリシーは、最高の推定された利用可能な帯域幅を有するRATなどの1つまたは複数の選択されたRATパラメータに基づいて、あるいは、RAT特有の選択条件および/または1つもしくは複数のしきい値条件および/または1つもしくは複数のヒステリシス条件などの、1つまたは複数の選択条件と組み合わせて、各RATの推定された利用可能な帯域幅を考慮することに基づいて、ネットワーク選択を要求するために選択的に適用され得ることに留意されたい。いずれの場合も、無線リンク状態、したがって複数の利用可能なRATの各々の推定された利用可能な帯域幅が可変であるとき、ネットワークアクセスポリシーを実行するネットワークアクセスモジュール410は、それゆえ、特定の時刻に特定のネットワークに関する推定された利用可能な帯域幅を考慮する動的なネットワーク選択判定を提供する。
【００４８】
したがって、様々な実施形態の態様によれば、モバイルデバイスのネットワークアクセスモジュール410は、ネットワーク選択に関する静的なルールまたは選好に依拠するのではなく、モバイルデバイスが、モバイルデバイス115-cと、様々なRATを有する利用可能なアクセスノード105-c、140-c、および150-cとの間で、推定された利用可能な帯域幅などの現在のRAT無線リンク状態に少なくとも部分的に基づいて動的なネットワーク選択判定を行うことを可能にする。
【００４９】
他の態様では、帯域幅判定モジュール415は、たとえば各RATのアクセスノードに関連する利用可能な無線リンク帯域幅を測定することによって各RATに関する利用可能な帯域幅を推定し得る。いくつかの例では、帯域幅判定モジュール415はまた、たとえば無線リソースの使用量の判定を通して、各RATに関連するネットワークのネットワークローディングの判定を行うか、または各RATのそれぞれのアクセスノードのバックホールリンクのバックホール帯域幅も考慮される。たとえば、帯域幅判定モジュール415は、無線リンク帯域幅およびバックホール帯域幅のうちの最小値、たとえばmin(無線BW,バックホールBW)として利用可能な帯域幅を推定し得る。バックホール帯域幅は、たとえば、利用可能なバックホール帯域幅に関する情報を含むサービングRATからのメッセージの受信を介して判定され得る。他の例では、バックホール帯域幅は、アクティブなプローブの使用を通して、またはクラウドソーシングを介して推定され得る。さらに他の例では、各RATに関する利用可能な帯域幅を推定することは、たとえば、信号対ノイズ比(SNR)、リソース利用率、ノイズライズ、RATロード、スロット利用率、利用可能な送信電力、利用可能なコードの数、および利用可能なリソースブロックの数などの、無線リンク帯域幅を示す1つまたは複数のパラメータの関数に基づいている。さらなる態様では、無線リンク帯域幅を示す1つまたは複数のパラメータの関数として利用可能な帯域幅を推定することは、無線リンクの品質およびリンク容量を推定することと、ユーザ機器が利用可能なシステムリソースの一部分を推定することと、各RATに関する利用可能な帯域幅を生成するためにユーザ機器が利用可能なシステムリソースの一部分でリンク容量をスケーリングすることとを含み得る。利用可能な帯域幅の推定は、UEがネットワークに接続し、大きいファイルを受信または送信する場合にUEがどれくらいのスループットを達成するかを推定しようとする。
【００５０】
上述のように、いくつかの例では、ネットワークアクセスモジュール410は、ネットワークアクセスポリシーを適用すべきかどうかを判定するために1つまたは複数の所定の基準を評価することもできる。そのような所定の基準は、RAT識別情報、現在時刻、モバイルデバイスの現在位置、RATにアクセスするコスト、ローミング状況、認証方法、契約プロファイル、および/または現在のデータ使用量などの、RATに関連するネットワークにアクセスするために満たされるべき1つまたは複数の動作パラメータを含み得る。いくつかの実施形態では、1つまたは複数の動作パラメータは、RAT選択に関する条件として規定することもでき、1つまたは複数の識別された動作パラメータ条件に合致しない特定のRATは、通信用には選択されない場合がある。したがって、いくつかの例では、ある特定のRATが最高の推定帯域幅を提供し得るが、選択条件に基づいて、他のRATが選択され得る。また上述のように、いくつかの例では、ネットワークアクセスモジュール410は、1つまたは複数のしきい値に合うかどうかを判定するために1つまたは複数のしきい値条件を評価することもできる。たとえば、しきい値条件は、第1のRATに関する第1の帯域幅関連のパラメータしきい値と、第2のRATに関する第2の帯域幅関連のパラメータしきい値とを含み得る。加えて、ネットワークアクセスモジュール410は、選択条件および/またはしきい値の組合せを使用することもできる。たとえば、選択条件は、1つまたは複数のRAT特有の条件および/またはしきい値を条件として、たとえば「WLAN推定利用可能帯域幅が第1のしきい値よりも小さく、セルラー/WWAN推定利用可能帯域幅が第2のしきい値よりも大きい場合を除いて」、たとえば「WLANを選ぶ」、所与のRATを選択するための選好を含む形態で存在し得る。別の例では、選択条件は、1つまたは複数のRAT特有の条件および/またはしきい値を条件として、たとえば「WLANリンク容量関連のパラメータおよびネットワークロード関連のパラメータが第1のしきい値(またはそれぞれの第1のしきい値)に合致し、セルラー/WWANリンク容量関連のパラメータおよびネットワークロード関連のパラメータが第2のしきい値(またはそれぞれの第2のしきい値)に合致しない場合」、たとえば「セルラー/W
WANよりもWLANを選ぶ」、所与のRATを選択するための選好を含む形態で存在し得る。
【００５１】
ここで図5を参照して、ネットワーク選択情報および関連の条件を提供するように構成され得る通信システム500のブロック図について説明する。このシステム500は、図1に示すシステム100、図2のシステム200、または図3のシステム300の態様の一例であり得る。システム500は、基地局105-dを含み得る。基地局105-dは、アンテナ545、トランシーバモジュール550、メモリ570、およびプロセッサモジュール560を含むことができ、その各々は、(たとえば、1つまたは複数のバス580を介して)互いに直接または間接的に通信していることがある。トランシーバモジュール550は、アンテナ545を介してモバイルデバイス115-dと双方向で通信するように構成され得る。トランシーバモジュール550(および/または基地局105-dの他の構成要素)も、1つまたは複数のネットワークと双方向で通信するように構成され得る。場合によっては、基地局105-dは、ネットワーク通信モジュール565を介してネットワーク130-bと通信し得る。基地局105-dは、eノードB基地局、ホームeノードB基地局、ノードB基地局、および/またはホームノードB基地局の一例であり得る。図5はWWAN基地局105-dを示すが、当業者には容易に認識されるように、他のタイプのアクセスノードおよび/または関連のネットワークエンティティは、同様の構成要素を含み、同様の機能を提供することができる。
【００５２】
基地局105-dは、基地局105-mおよび基地局105-nなどの他の基地局105と通信することもできる。場合によっては、基地局105-dは、基地局通信モジュール515を利用して105-mおよび/または105-nなどの他の基地局と通信することができる。いくつかの実施形態では、基地局通信モジュール515は、他のRATを利用する、1つまたは複数の他のタイプのアクセスノードとのインターフェースを提供し得る。
【００５３】
メモリ570は、ランダムアクセスメモリ(RAM)および読取り専用メモリ(ROM)を含み得る。メモリ570は、実行される際、本明細書で説明する様々な機能(たとえば、ネットワーク選択ポリシー、ネットワークローディング情報の提供など)をプロセッサモジュール560に実行させるように構成された命令を含む、コンピュータ可読のコンピュータ実行可能ソフトウェアコード575も記憶することもできる。代替として、ソフトウェアコード575は、プロセッサモジュール560によって直接実行可能でない場合があるが、(たとえば、コンパイルされ実行される際)プロセッサに本明細書で説明する機能を実行させるように構成され得る。
【００５４】
プロセッサモジュール560は、インテリジェントハードウェアデバイス、たとえば、中央処理ユニット(CPU)、マイクロコントローラ、特定用途向け集積回路(ASIC)などを含み得る。送受信機モジュール550は、パケットを変調し、変調されたパケットを送信のためにアンテナ545に与え、アンテナ545から受信されたパケットを復調するように構成されたモデムを含み得る。基地局105-dのいくつかの例は単一のアンテナ545を含み得るが、基地局105-dは、複数のリンクのための複数のアンテナ545を含み得る。図5のアーキテクチャによれば、基地局105-dは、通信管理モジュール540をさらに含み得る。通信管理モジュール540は、他の基地局105との通信を管理し得る。例として、通信管理モジュール540は、バス580を介して基地局105-dの他の構成要素のいくつかまたはすべてと通信中の基地局105-dの構成要素であり得る。代替的に、通信管理モジュール540の機能は、トランシーバモジュール550の構成要素として、コンピュータプログラム製品として、および/またはプロセッサモジュール560の1つもしくは複数のコントローラ要素として実装され得る。
【００５５】
上記で説明したように、いくつかの態様では、UE115-dは、ネットワークアクセスポリシー、および利用可能なネットワークに関連する推定帯域幅などのRATパラメータに基づいてネットワーク選択を実行し得る。上述のように、いくつかの例では、帯域幅推定は、特定のネットワークのネットワークロードまたはバックホール帯域幅に部分的に基づく場合がある。いくつかの例によれば、ネットワークロード報告モジュール520は、モバイルデバイス115-dにそのようなネットワークロードまたはバックホール帯域幅情報を提供し得る。モバイルデバイス115-dによって実装されるネットワークアクセスポリシーは、ネットワークポリシーモジュール525によって提供され得る。そのようなネットワークアクセスポリシーは、上記で説明したように、SFRポリシーを含むことができ、SFRポリシーは、単独で、または1つもしくは複数の選択条件もしくはしきい値と併せて適用され得る。加えて、ネットワークアクセスポリシーは、ワイヤレス通信のためにRATの選択にネットワークアクセスポリシーが適用されるべきときを規定する1つまたは複数の所定の基準を含み得る。いくつかの実施形態では、ネットワークロード報告モジュール520およびネットワークポリシーモジュール525は、他のネットワークエンティティを介して、モバイルデバイス115-dおよび/または他の基地局もしくはアクセスノードに、関連の情報を提供するために、モビリティ管理エンティティ(MME)またはパケットデータネットワーク(PDN)ゲートウェイなどの別のネットワークエンティティと協働し得る。図5は、ネットワークロード報告モジュール520およびネットワークポリシーモジュール525を基地局105-dの一部として示すが、様々な他の実施形態では、ネットワークロード報告モジュール520およびネットワークポリシーモジュール525の機能のすべてまたは実質的にすべては、たとえば、基地局105-dによって、またはMME、サービングゲートウェイ、および/またはPDNゲートウェイなどの別のネットワークエンティティによって実行され得る。
【００５６】
図6は、基地局105-eおよびモバイルデバイス115-eを含むシステム600のブロック図である。このシステム600は、図1のシステム100、図2のシステム200、図3のシステム300、または図5のシステム500の態様の一例であり得る。基地局105-eは、アンテナ634-a〜634-xを装備することができ、モバイルデバイス115-eは、アンテナ652-a〜652-nを装備され得る。基地局105-eにおいて、送信プロセッサ620は、データソースからデータを受信することができる。
【００５７】
送信プロセッサ620は、データを処理することができる。送信プロセッサ620は、基準シンボルおよびセル固有基準信号を生成することもできる。送信(TX)MIMOプロセッサ630は、適用可能な場合、データシンボル、制御シンボル、および/または基準シンボルに関する空間処理(たとえば、プリコーディング)を実行することができ、送信変調器632-a〜632-xに出力シンボルストリームを供給することができる。各変調器632は、(たとえば、OFDMなどの)それぞれの出力シンボルストリームを処理して、出力サンプルストリームを取得し得る。各変調器632はさらに、ダウンリンク(DL)信号を取得するために、出力サンプルストリームを処理(たとえば、アナログへの変換、増幅、フィルタ処理、およびアップコンバート)することができる。一例では、変調器632-a〜632-xからのDL信号は、特定のTDDアップリンク/ダウンリンク構成に応じて、それぞれ、アンテナ634-a〜634-xを介して送信され得る。
【００５８】
モバイルデバイス115-eにおいて、モバイルデバイスアンテナ652-a〜652-nは、特定のTDDアップリンク/ダウンリンク構成に応じて、基地局105-eからDL信号を受信することができ、受信信号をそれぞれ復調器654-a〜654-nに提供することができる。各復調器654は、それぞれの受信信号を調整(たとえば、フィルタ処理、増幅、ダウンコンバート、およびデジタル化)して入力サンプルを取得し得る。各復調器654は(たとえば、OFDMなどの)入力サンプルをさらに処理して受信シンボルを取得し得る。MIMO検出器656は、すべての復調器654-a〜654-nから受信シンボルを取得し、適用可能な場合は受信シンボルに対してMIMO検出を実行し、検出されたシンボルを供給し得る。受信プロセッサ658は、検出されたシンボルを処理(たとえば、復調、デインターリーブ、および復号)し、モバイルデバイス115-eのための復号されたデータをデータ出力に供給し、復号された制御情報をプロセッサ680またはメモリ682に供給し得る。プロセッサ680は、モバイルデバイス115-eが利用可能な特定のRATが、上記で説明したのと同様に、RATに関連のアクセスノードを介して利用可能な帯域幅、選択条件、および/または関連のしきい値のうちの1つまたは複数に基づいてネットワークアクセスのために使用されることを判定し得るネットワーク選択モジュール340-bと結合し得る。プロセッサ680は、現在のベアラ割当ておよび各ベアラ上の送信されるべきデータに従ってフレームフォーマットを実行し得る。
【００５９】
アップリンク(UL)上で、モバイルデバイス115-eにおいて、送信プロセッサ664は、データソースからデータを受信し処理することができる。送信プロセッサ664はまた、基準信号のための基準シンボルを生成し得る。送信プロセッサ664からのシンボルは、適用可能な場合に送信MIMOプロセッサ666によってプリコードされ、(たとえば、SC-FDMAなどのために)復調器654-a〜654-nによってさらに処理され、基地局105-eから受信された送信パラメータに従って基地局105-eに送信され得る。基地局105-eにおいて、モバイルデバイス115-eからのUL信号は、アンテナ634によって受信され、復調器632によって処理され、適用可能な場合にMIMO検出器636によって検出され、受信プロセッサ638によってさらに処理され得る。受信プロセッサ638は、復号されたデータをデータ出力とプロセッサ640とに供給し得る。メモリ642は、プロセッサ640に結合され得る。いくつかの実施形態では、ネットワークポリシーモジュール525-aは、上記で説明したように、モバイルデバイス115-eにネットワークアクセスポリシーを提供し得る。そのようなネットワークアクセスポリシーは、上記で説明したように、たとえば、モバイルデバイス115-eに最高の推定帯域幅を提供するアクセスノードを選択するためにモバイルデバイス115-eによって実装され得る。上記で説明したのと同様に、システム600は、モバイルデバイス115-eによるネットワークアクセスのために他のアクセスノードを含むこともでき、特定のアクセスノードの選択は、ネットワークアクセスポリシーに基づく可能性がある。複数のコンポーネントキャリアは、モバイルデバイス115-eと基地局105-eとの間でアップリンクおよびダウンリンク送信を搬送し得る。モバイルデバイス115-dの構成要素は、適用可能な機能のいくつかまたはすべてをハードウェアで実行するように構成された、1つまたは複数の特定用途向け集積回路(ASIC)により個別にまたは集合的に実装され得る。言及されたモジュールの各々は、システム600の動作に関する1つまたは複数の機能を実行するための手段である可能性がある。同様に、基地局105-hの構成要素は、適用可能な機能のいくつかまたはすべてをハードウェアで実行するように構成された、1つまたは複数の特定用途向け集積回路(ASIC)により個別にまたは集合的に実装され得る。言及された構成要素の各々は、システム600の動作に関する1つまたは複数の機能を実行するための手段である可能性がある。
【００６０】
図7は、様々な実施形態による、ワイヤレス通信システム内のモバイルデバイスによって実行され得る方法700を示す。方法700は、たとえば、図1、図2、図3、図5、もしくは図6のモバイルデバイスによって、またはこれらの図に関して説明されたデバイスの任意の組合せを使用して実行され得る。最初に、ブロック705において、モバイルデバイスは、2つ以上の無線アクセス技術(RAT)がモバイルデバイスとワイヤレス通信するために利用可能であることを判定する。たとえば、一態様では、モバイルデバイスおよび/または関連のネットワーク選択モジュールは、第1のRAT、たとえばWWANアクセスノードのWWAN、第2のRAT、たとえばWLANアクセスノードのWLANなどの複数の利用可能なRATの通信の存在および適合性を判定するように構成されたRAT検出構成要素を含み得る。たとえば、RAT検出構成要素を実行するネットワーク選択モジュールは、パイロットなどの信号を検出し、WWANアクセスノードおよびWLANアクセスノードによってブロードキャストし、受信された信号強度関連の信号パラメータを、それぞれのアクセスノードと通信するための最小しきい値と比較することができる。さらに、そのようなRAT検出構成要素を実行するネットワーク選択モジュールは、たとえば、無線通信プロトコルならびに/または各アクセスノードからの信号を検出し、および/もしくは復号するために使用される周波数に基づいて各WWANアクセスノードおよびWLANアクセスノードによって使用されるそれぞれのRATを識別することができる。様々なRATは本質的に様々な最大帯域幅を有し得るので、またはモバイルデバイスは様々なRATに関する様々な許容できる最大帯域幅に関連する契約を有し得るので、様々なRATの可用性は、場合によっては、後のまたは既存の通信に関する利用可能な帯域幅を改善するための機会をモバイルデバイスに提供する。加えて、そのようなモバイルデバイスの挙動は、モバイルデバイスがスループットに応じて利用可能な最良のRATを選択するとき、改善されたユーザエクスペリエンスを事業者が提供することを可能にしながら、複数のRATに依拠するネットワークを展開することができる。
【００６１】
ブロック710では、モバイルデバイスは、この例では、1つまたは複数のネットワーク特性に基づくRATの使用を示すネットワークアクセスポリシーにアクセスする。そのようなネットワークアクセスポリシーは、モバイルデバイス上に記憶され得るか、または、たとえば、WWANアクセスノードもしくはWLANアクセスノードのうちの1つなどのネットワーク構成要素から取り出され得る。さらに、上記で説明したのと同様に、ネットワークアクセスポリシーは、たとえば、推定された利用可能な帯域幅などの、RAT選択において評価されるべきいくつかのパラメータのうちのいずれかを指定することができる。いくつかの例では、推定された利用可能な帯域幅は、RATのアクセスノードと通信するための推定帯域幅、ネットワークローディング、RATのアクセスノードに関連するバックホール帯域幅、1つもしくは複数の選択条件、および/または1つもしくは複数の識別されたしきい値に基づいて判定され得る。いくつかの実施形態では、そのような判定は、アクセスノードと通信するための帯域幅のみに基づいて行われ得るが、他の実施形態は、説明した1つまたは複数の他の因子を含み得る。
【００６２】
ブロック715において、モバイルデバイスは、1つまたは複数の所定の基準に基づいてネットワークアクセスポリシーを選択的に適用する。そのような所定の基準は、たとえば、上記で説明したのと同様に、1つまたは複数の動作条件を含み得る。ブロック720において、モバイルデバイスは、ネットワークアクセスポリシーに基づいて2つ以上のRATの各々に関する1つまたは複数のパラメータを判定する。最後に、ブロック725において、モバイルデバイスは、1つまたは複数のパラメータおよびネットワークアクセスポリシーに基づいてRATとの通信を確立する。上記で説明した、1つまたは複数のパラメータは、たとえば、信号対ノイズ比(SNR)、リソース利用率、ノイズライズ、RATロード、利用可能なコードの数、スロット利用率、利用可能な送信電力、または利用可能なリソースブロックの数のうちの1つまたは複数などの、無線リンク帯域幅を示す1つまたは複数のパラメータの関数を含み得る。さらなる例では、1つまたは複数のパラメータは、追加または代替として、無線リンクの品質およびリンク容量の推定と、モバイルデバイスが利用可能なシステムリソースの一部分の推定と、各RATに関する利用可能な帯域幅を生成するためにモバイルデバイスが利用可能なシステムリソースの一部分によるリンク容量のスケーリングとを含み得る。
【００６３】
図8は、様々な実施形態による、ワイヤレス通信システム内のモバイルデバイスによって実行され得る方法800を示す。方法800は、たとえば、図1、図2、図3、図5、もしくは図6のモバイルデバイスによって、またはこれらの図に関して説明されたデバイスの任意の組合せを使用して実行され得る。最初に、ブロック805において、モバイルデバイスは、たとえば最高の推定帯域幅を含む、1つまたは複数のパラメータに基づいてRATの使用を示すネットワークアクセスポリシーにアクセスし得る。
【００６４】
ブロック810において、モバイルデバイスは、各RATに関する利用可能な帯域幅を推定する。いくつかの例では、各RATに関する利用可能な帯域幅の推定は、利用可能な無線リンク帯域幅を測定すること、および/またはバックホール帯域幅を判定することを含み得る。バックホール帯域幅は、たとえば、別のノードからのメッセージにおいて受信されるバックホール帯域幅情報、モバイルデバイスによって行われるバックホール帯域幅の推定、および/または各RATに関するネットワークロードに関連する情報に基づいて判定され得る。いくつかの例では、利用可能な帯域幅はまた、モバイルデバイスにおいて各RATに関する測定されたリンク容量および各RATに関するネットワークロードに関連する受信パラメータに基づく場合がある。さらに別の例では、利用可能な帯域幅の推定はまた、1つもしくは複数の選択条件および/または1つもしくは複数のRATに関連するしきい値に基づく場合がある。ブロック815において、モバイルデバイスは、最高の推定された利用可能な帯域幅を有するRATを識別する。最高の推定された利用可能な帯域幅を有するRATの識別は、たとえば、各識別されたRATに関する推定帯域幅値を比較することによって判定され得る。最後に、ブロック820において、モバイルデバイスは、最高の推定された利用可能な帯域幅を有するRATとの通信を確立する。
【００６５】
図9は、様々な実施形態による、ワイヤレス通信システム内のモバイルデバイスによって実行され得る方法900を示す。方法900は、たとえば、図1、図2、図3、図5、もしくは図6のモバイルデバイスによって、またはこれらの図に関して説明されたデバイスの任意の組合せを使用して実行され得る。最初に、ブロック905において、モバイルデバイスは、最高の推定された利用可能な帯域幅を含む、1つまたは複数のパラメータに基づいてRATの使用を示すネットワークアクセスポリシーにアクセスする。そのようなネットワークアクセスポリシーは、上記で説明したように、モバイルデバイス上に記憶され得るか、または、たとえば、WWANアクセスノードもしくはWLANアクセスノードのうちの1つなどのネットワーク構成要素から取り出され得る。同様に上記で説明したように、いくつかの例では、ネットワークアクセスポリシーは、推定された利用可能な帯域幅がネットワークトラフィックまたは特定のRATのアクセスノードに関連するネットワークローディングに説明することを示し得る。ブロック910において、モバイルデバイスは、各RATに関するアクセスノードから、推定バックホール帯域幅を受信する。推定バックホール帯域幅は、たとえば、アクセスノードからのメッセージにおいてモバイルデバイスに送信され得る。
【００６６】
ブロック915において、モバイルデバイスは、各RATに関する無線リンク帯域幅を推定する。次いで、モバイルデバイスは、ブロック920において示すように、最高の推定された利用可能な帯域幅を有するRATを識別し得る。最高の推定された利用可能な帯域幅を有するRATは、たとえば、推定無線リンク帯域幅および関連のバックホール帯域幅に基づいて判定され得る。ブロック925において、モバイルデバイスは、最高の推定された利用可能な帯域幅を有するRATとの通信を確立する。
【００６７】
図10は、様々な実施形態による、ワイヤレス通信システム内のモバイルデバイスによって実行され得る方法1000を示す。方法1000は、たとえば、図1、図2、図3、図5、もしくは図6のモバイルデバイスによって、またはこれらの図に関して説明されたデバイスの任意の組合せを使用して実行され得る。最初に、ブロック1005において、モバイルデバイスは、選択条件および/またはしきい値に合致するRATの使用を示すネットワークアクセスポリシーにアクセスする。上記で説明したのと同様に、ネットワークアクセスポリシー内に1つまたは複数の選択条件および/またはしきい値が確立される場合、モバイルデバイスは、最高の推定された利用可能な帯域幅を有するものとして第1のRATを識別するが、1つまたは複数の選択条件および/またはしきい値に合致しないことを判定することができ、それは、選択条件および/またはしきい値が満たされる第2のRATとの通信を確立するようにモバイルデバイスをトリガし得る。さらなるいくつかの例では、ネットワークアクセスポリシーは、RAT特有の選択条件および/または1つもしくは複数のしきい値条件および/または1つもしくは複数のヒステリシス条件を含み得るが、RATは、1つまたは複数の選択条件の評価に基づいて識別され得る。いくつかの例では、ネットワークアクセスポリシーは、第1のRATに関する第1の帯域幅関連のパラメータしきい値と第2のRATに関する第2の帯域幅関連のパラメータしきい値とを含むことができ、第1または第2のRATとの通信を確立することは、第1または第2のRATが特定のRATに関連する帯域幅関連のしきい値に合致するかどうかに基づく場合がある。他の例では、選択条件は、RAT識別情報、現在時刻、モバイルデバイスの現在位置、RATにアクセスするコスト、モバイルデバイスのローミング状況、RATに関する認証方法、モバイルデバイスの契約プロファイル、またはモバイルデバイスの現在のデータ使用量のうちの1つまたは複数を含み得る。
【００６８】
ブロック1010において、モバイルデバイスは、現在の状態およびしきい値に関連する値を判定する。そのような判定は、モバイルデバイスの状態、モバイルデバイス上で利用可能な他の情報(たとえば、位置、時刻、ローミング状況など)および/またはアクセスノードから受信した情報(たとえば、RAT識別情報、認証方法など)に基づいて行われ得る。ブロック1015において、モバイルデバイスは、選択条件および/またはしきい値に合致する、各RATに関するアクセスノードからの推定バックホール帯域幅を受信し得る。たとえば、モバイルデバイスは、RATのサブセットが現在の状態およびしきい値のすべてと合致することを判定することができ、サブセット内の各RATに関して、バックホール帯域幅の推定を判定するために関連のアクセスノードに問い合わせることができる。ブロック1020において、無線リンク帯域幅は、選択条件および/またはしきい値に合致する各RATに関して推定される。無線リンク帯域幅は、たとえば、上記で説明したように推定され得る。ブロック1025において、モバイルデバイスは、最高の推定帯域幅を有するRATを識別する。最後に、ブロック1030において、最高の推定された利用可能な帯域幅を有し選択条件および/またはしきい値に合致するRATとの通信が確立される。そのような方法で、たとえば、ネットワークアクセスポリシー内に1つまたは複数の選択条件および/またはしきい値が確立される場合、モバイルデバイスは、最高の推定された利用可能な帯域幅を有するものとして第1のRATを識別するが、1つまたは複数の選択条件および/またはしきい値に合致しないことを判定することができ、それは、選択条件および/またはしきい値が満たされる第2のRATとの通信を確立するようにモバイルデバイスをトリガし得る。
【００６９】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなどのコンピュータ関連のエンティティを含むものとする。たとえば、構成要素は、プロセッサ上で実行されているプロセス、プロセッサ、オブジェクト、実行ファイル、実行スレッド、プログラム、および/またはコンピュータであり得るが、これらに限定されない。例として、コンピューティングデバイス上で実行されるアプリケーションとコンピューティングデバイスの両方は、構成要素であり得る。1つまたは複数の構成要素が、プロセスおよび/または実行スレッド内に存在することができ、かつ1つの構成要素が、1つのコンピュータ上に局在化され、かつ/または2つ以上のコンピュータ間に分散され得る。加えて、これらの構成要素は、様々なデータ構造を記憶している様々なコンピュータ可読記録媒体から実行することができる。これらの構成要素は、信号によって、ローカルシステム、分散システム内の別の構成要素と対話し、かつ/またはインターネットなどのネットワークを介して他のシステムと対話する1つの構成要素からのデータなどの、1つまたは複数のデータパケットを有する信号に従うことなどによって、ローカルプロセスおよび/またはリモートプロセスによって通信し得る。
【００７０】
さらに、本明細書では、様々な態様について、有線端末またはワイヤレス端末であり得る端末に関して説明する。端末はまた、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器(UE)と呼ぶことができる。ワイヤレス端末は、携帯電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、コンピューティングデバイス、またはワイヤレスモデムに接続された他の処理デバイスであり得る。その上、基地局に関して、様々な態様が本明細書に記載される。基地局は、ワイヤレス端末と通信するために利用することができ、アクセスポイント、ノードB、または何らかの他の用語で呼ばれる場合もある。
【００７１】
その上、「または」という用語は、排他的な「または」ではなく、包括的な「または」を意味するものとする。すなわち、別段の規定がない限り、または文脈から明白でない限り、「XはAまたはBを使用する」という句は、自然な包括的置換のいずれかを意味するものとする。すなわち、「XはAまたはBを採用する」という語句は、以下の例のいずれかによって満足される。XはAを使用する。XはBを使用する。またはXはAとBの両方を使用する。さらに、本出願および添付の特許請求の範囲で使用する冠詞「a」および「an」は、別段の規定がない限り、または単数形を示すことが文脈から明白でない限り、概して「1つまたは複数」を意味するものと解釈すべきである。
【００７２】
本明細書で説明する技法は、CDMA、TDMA、FDMA、OFDMA、SC-FDMAおよび他のシステムなどの様々なワイヤレス通信システムに使用され得る。「システム」および「ネットワーク」という用語は、しばしば互換的に使用される。CDMAシステムは、Universal Terrestrial Radio Access(UTRA)、cdma2000などの無線技術を実装し得る。UTRAは、広帯域CDMA(W-CDMA(登録商標))およびCDMAの他の変形形態を含む。さらに、cdma2000は、IS-2000規格、IS-95規格およびIS-856規格をカバーする。TDMAシステムは、モバイル通信用グローバルシステム(GSM(登録商標))などの無線技術を実装し得る。OFDMAシステムは、発展型UTRA(E-UTRA)、ウルトラモバイルブロードバンド(UMB)、IEEE802.11(Wi-Fi)、IEEE802.16(WiMAX)、IEEE802.20、Flash-OFDMなどの無線技術を実装し得る。UTRAおよびE-UTRAは、ユニバーサルモバイル通信システム(UMTS)の一部である。3GPPロングタームエボリューション(LTE)は、ダウンリンク上ではOFDMAを利用し、かつアップリンク上ではSC-FDMAを利用する、E-UTRAを使用するUMTSのリリースである。UTRA、E-UTRA、UMTS、LTEおよびGSM(登録商標)は、「第3世代パートナーシッププロジェクト」(3GPP)という名称の組織の文書に記載されている。さらに、cdma2000およびUMBは、「第3世代パートナーシッププロジェクト2」(3GPP2)という名称の組織の文書に記載されている。さらに、そのようなワイヤレス通信システムは、不対無資格スペクトル、802.xxワイヤレスLAN、BLUETOOTH(登録商標)および任意の他の短距離または長距離ワイヤレス通信技法をしばしば使用するピアツーピア(たとえば、モバイルツーモバイル)アドホックネットワークシステムをさらに含み得る。
【００７３】
様々な態様または特徴は、いくつかのデバイス、構成要素、モジュールなどを含む場合があるシステムに関して提示される。様々なシステムが、追加のデバイス、構成要素、モジュールなどを含んでもよく、かつ/または各図に関連して論じられるデバイス、構成要素、モジュールなどのすべてを含むとは限らないことを理解し、諒解されたい。これらの手法の組合せも使用され得る。
【００７４】
本明細書で開示された実施形態に関して記載された様々な例示的な論理、論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェアコンポーネント、または、本明細書に記載された機能を実行するように設計されたそれらの任意の組合せで実装または実施することができる。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、DSPおよびマイクロプロセッサの組合せ、複数のマイクロプロセッサ、DSPコアと連携する1つもしくは複数のマイクロプロセッサ、または任意の他のそのような構成として実装され得る。加えて、少なくとも1つのプロセッサは、上述されたステップおよび/またはアクションのうちの1つまたは複数を実行するように動作可能な1つまたは複数のモジュールを含む場合がある。
【００７５】
さらに、本明細書で開示された態様に関して記載された方法またはアルゴリズムのステップおよび/またはアクションは、直接ハードウェア内で、プロセッサによって実行されるソフトウェアモジュール内で、またはその2つの組合せ内で具現化することができる。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体中に存在し得る。例示的な記憶媒体は、プロセッサが記憶媒体から情報を読み取り、かつ記憶媒体に情報を書き込み得るようにプロセッサに結合され得る。代替として、記憶媒体はプロセッサと一体であり得る。さらに、いくつかの態様では、プロセッサおよび記憶媒体はASIC内に存在し得る。加えて、ASICはユーザ端末内に存在し得る。代替として、プロセッサおよび記憶媒体は、ユーザ端末内に個別構成要素として存在し得る。加えて、いくつかの態様では、方法またはアルゴリズムのステップおよび/または動作は、コンピュータプログラム製品に組み込まれ得る、機械可読記録媒体および/またはコンピュータ可読記録媒体上のコードおよび/または命令の1つまたは任意の組合せ、またはそのセットとして存在し得る。
【００７６】
1つまたは複数の態様では、説明した機能は、ハードウェア、ソフトウェア、ファームウェア、またはそれらの任意の組合せで実装され得る。ソフトウェアに実装される場合、各機能は、1つまたは複数の命令またはコードとしてコンピュータ可読記録媒体上に記憶されるか、または、コンピュータ可読記録媒体上で送信することができる。コンピュータ可読記録媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読記録媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送もしくは記憶するために使用され、コンピュータによってアクセスされ得る、任意の他の媒体を含み得る。また、いかなる接続もコンピュータ可読記録媒体と呼ぶことができる。たとえば、ソフトウェアが、同軸ケーブル、光ファイバケーブル、ツイストペア、デジタル加入者回線(DSL)、または、赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または、赤外線、無線、およびマイクロ波などのワイヤレス技術は、媒体の定義に含まれる。本明細書で使用されるディスク(disk)およびディスク(disc)は、コンパクトディスク(disc)(CD)、レーザディスク(登録商標)(disc)、光ディスク(disc)、デジタル多用途ディスク(disc)(DVD)、フロッピー(登録商標)ディスク(disk)およびブルーレイディスク(disc)を含み、ディスク(disk)は、通常、データを磁気的に再生し、ディスク(disc)は、通常、データをレーザで光学的に再生する。前述の組合せも、コンピュータ可読記録媒体の範囲内に含まれるべきである。
【００７７】
上記の開示は、例示的な態様および/または実施形態を説明したが、添付の特許請求の範囲によって定義されるように、記載された態様および/または実施形態の範囲から逸脱することなく、様々な変更および改変を本明細書で行うことができることに留意されたい。さらに、記載された態様および/または実施形態の要素は、単数形で記載または特許請求されている場合があるが、単数形に限定することが明示的に述べられていない限り、複数形が考察される。さらに、任意の態様および/または実施形態の全部または一部は、別段に記載されていない限り、任意の他の態様および/または実施形態の全部または一部とともに利用され得る。
【符号の説明】
【００７８】
100  ワイヤレス通信システム
105  基地局
105-a  eノードB
105-b  eノードB
105-c  基地局
105-d  基地局
105-e  基地局
105-m  基地局
105-n  基地局
110  地理的なエリア
115  通信デバイス
115-a  モバイルデバイス
115-b  モバイルデバイス
115-c  モバイルデバイス
115-d  モバイルデバイス
115-e  モバイルデバイス
125  通信リンク、送信リンク
130  ネットワーク
130-b  ネットワーク
132  バックホールリンク
134  バックホールリンク
140  WiFi/WLANアクセスポイント
140-a  WiFi/WLANアクセスノード
140-c  WiFi/WLANアクセスノード
145  送信リンク
150  eノードB
150-a  他のセルラー/WWANアクセスノード
150-c  WWANアクセスノード
155  送信リンク
200  ネットワークアーキテクチャ
205  発展型UMTS地上波無線アクセスネットワーク(E-UTRAN)
220  ホーム加入者サーバ(HSS)
222  事業者のIPサービス
230  発展型パケットコア(EPC)
232  モビリティ管理エンティティ(MME)
234  サービングゲートウェイ
236  パケットデータネットワーク(PDN)ゲートウェイ
300  システム
305  アンテナ
310  受信機モジュール
315  送信機モジュール
320  制御モジュール
325  プロセッサモジュール
330  メモリ
335  ソフトウェア
340  ネットワーク選択モジュール
340-a  ネットワーク選択モジュール
340-b  ネットワーク選択モジュール
405  RAT可用性判定モジュール
410  ネットワークアクセスモジュール
415  帯域幅判定モジュール
500  通信システム
515  基地局通信モジュール
520  ネットワークロード報告モジュール
525  ネットワークポリシーモジュール
525-a  ネットワークポリシーモジュール
540  通信管理モジュール
545  アンテナ
550  トランシーバモジュール
560  プロセッサモジュール
570  メモリ
575  ソフトウェアコード
580  バス
620  送信プロセッサ
630  送信MIMOプロセッサ
632-a  送信変調器
632-x  送信変調器
634-a  アンテナ
634-x  アンテナ
636  MIMO検出器
638  受信プロセッサ
640  プロセッサ
642  メモリ
652-a  アンテナ
652-n  アンテナ
654-a  復調器
654-n  復調器
656  MIMO検出器
658  受信プロセッサ
664  送信プロセッサ
666  送信MIMOプロセッサ
680  プロセッサ
682  メモリ
【図１】
2016506213.tif 000003
【図２】
2016506213.tif 000004
【図３】
2016506213.tif 000005
【図４】
2016506213.tif 000006
【図５】
2016506213.tif 000007
【図６】
2016506213.tif 000008
【図７】
2016506213.tif 000009
【図８】
2016506213.tif 000010
【図９】
2016506213.tif 000011
【図１０】
2016506213.tif 000012
【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
モバイルデバイスにおけるネットワーク選択を管理する方法であって、
2つ以上の無線アクセス技術(RAT)が前記モバイルデバイスとワイヤレス通信するために利用可能であることを判定するステップと、
1つまたは複数のネットワーク特性に基づくRATの使用を示すネットワークアクセスポリシーにアクセスするステップと、
1つまたは複数の所定の基準に基づいて前記ネットワークアクセスポリシーを選択的に適用するステップと、
前記1つまたは複数の所定の基準は、前記モバイルデバイスの現在のデータ使用量を含み、
前記ネットワークアクセスポリシーに基づいて前記2つ以上のRATの各々に関する1つまたは複数のパラメータを判定するステップと、
前記1つまたは複数のパラメータおよび前記ネットワークアクセスポリシーに基づいて前記RATとの通信を確立するステップと
を含む、方法。
【請求項２】
前記1つまたは複数のパラメータを判定するステップは、
1つまたは複数のRATに関する利用可能な帯域幅を推定するステップと、
最高の推定された利用可能な帯域幅を有する前記RATを識別するステップと
を含む、請求項1に記載の方法。
【請求項３】
前記利用可能な帯域幅を推定するステップは、利用可能な無線リンク帯域幅を推定するステップ、またはバックホール帯域幅を判定するステップのうちの少なくとも1つを含む、請求項2に記載の方法。
【請求項４】
前記バックホール帯域幅を判定するステップは、別のノードからのメッセージにおいて前記バックホール帯域幅を受信するステップ、または前記バックホール帯域幅を推定するステップのうちの少なくとも1つを含む、請求項3に記載の方法。
【請求項５】
前記利用可能な帯域幅を推定するステップは、前記モバイルデバイスにおいてリンク容量を測定するステップと、ネットワークロードに関連するパラメータを受信または推定するステップとを含む、請求項3に記載の方法。
【請求項６】
前記1つまたは複数の所定の基準は、
現在時刻、
前記モバイルデバイスの現在の位置、
前記2つ以上のRATのうちの1つにアクセスするコスト、
1つまたは複数のRAT上の前記モバイルデバイスのローミング状況、
前記モバイルデバイスの契約プロファイル、
前記モバイルデバイスの現在のデータ使用量、または
WLANもしくはセルラーアクセスノードの識別情報
のうちの1つまたは複数をさらに含む、請求項1に記載の方法。
【請求項７】
前記ネットワークアクセスポリシーは、第1のRATに関する第1の帯域幅関連のパラメータしきい値と、第2のRATに関する第2の帯域幅関連のパラメータしきい値とを含む、請求項1に記載の方法。
【請求項８】
前記第1のRATの第1の帯域幅関連のパラメータが前記第1の帯域幅関連のパラメータしきい値に合致することを判定するステップと、
前記第2のRATの第2の帯域幅関連のパラメータが前記第2の帯域幅関連のパラメータしきい値に合致しないことを判定するステップと、
前記第1のRATとの通信を確立するステップと
さらに含む、請求項7に記載の方法。
【請求項９】
各RATに関する前記利用可能な帯域幅を推定するステップは、帯域幅を示す1つまたは複数のパラメータの関数として推定するステップをさらに含む、請求項2に記載の方法。
【請求項１０】
帯域幅を示す前記1つまたは複数のパラメータは、信号対ノイズ比(SNR)、リソース利用率、ノイズライズ、RATロード、利用可能なコードの数、スロット利用率、利用可能な送信電力、利用可能なリソースブロックの数、またはアクセスノードバックホールの容量および利用率のうちの1つまたは複数を含む、請求項9に記載の方法。
【請求項１１】
帯域幅を示す1つまたは複数のパラメータの関数として推定するステップは、
無線リンクの品質およびリンク容量を推定するステップと、
前記モバイルデバイスが利用可能なシステムリソースの一部分を推定するステップと、
各RATに関する前記利用可能な無線リンク帯域幅を生成するために前記モバイルデバイスが利用可能なシステムリソースの前記一部分で前記リンク容量をスケーリングするステップと
をさらに含む、請求項9に記載の方法。
【請求項１２】
前記ネットワークアクセスポリシーは、選択条件をさらに含み、前記RATとの通信を確立するステップは、前記選択条件にさらに基づいている、請求項1に記載の方法。
【請求項１３】
前記選択条件は、最高の推定された利用可能な帯域幅を有する前記RATを選択するための第1のRAT選択条件と、第2のRATを選択するための第2のRAT選択条件とを含む、請求項12に記載の方法。
【請求項１４】
前記第1のRAT選択条件に合致することを判定するステップをさらに含み、前記1つまたは複数のパラメータおよび前記ネットワークアクセスポリシーに基づいて前記RATとの通信を確立するステップは、前記第1のRAT選択条件に合致することにさらに基づいている、請求項13に記載の方法。
【請求項１５】
前記第2のRAT選択条件に合致することを判定するステップと、
前記第2のRAT選択条件に合致することに基づいて前記第2のRATとの通信を確立するステップと
をさらに含む、請求項13に記載の方法。
【請求項１６】
前記第1のRAT選択条件は、第1の帯域幅関連のパラメータしきい値を含み、前記第2のRAT選択条件は、第2の帯域幅関連のパラメータしきい値を含む、請求項13に記載の方法。
【請求項１７】
前記2つ以上のRATのうちの1つの前記第1の帯域幅関連のパラメータが、前記第1の帯域幅関連のパラメータしきい値に合致することを判定するステップであって、それによって前記第1のRAT条件を達成する、ステップと、
前記第2のRATの前記第2の帯域幅関連のパラメータが、前記第2の帯域幅関連のパラメータしきい値に合致しないことを判定するステップであって、それによって前記第2のRAT条件を達成しない、ステップと
をさらに含む、請求項16に記載の方法。
【請求項１８】
前記選択条件は、新しいRATを選択することに対してバイアスするためのヒステリシス値を含む、請求項12に記載の方法。
【請求項１９】
モバイルデバイスにおけるネットワーク選択を管理するためのコンピュータプログラムであって、
2つ以上の無線アクセス技術(RAT)が前記モバイルデバイスとワイヤレス通信するために利用可能であることを判定し、
1つまたは複数のネットワーク特性に基づくRATの使用を示すネットワークアクセスポリシーにアクセスし、
1つまたは複数の所定の基準に基づいて前記ネットワークアクセスポリシーを選択的に適用し、
前記1つまたは複数の所定の基準は、前記モバイルデバイスの現在のデータ使用量を含み、
前記ネットワークアクセスポリシーに基づいて前記2つ以上のRATの各々に関する1つまたは複数のパラメータを判定し、
前記1つまたは複数のパラメータおよび前記ネットワークアクセスポリシーに基づいて前記RATとの通信を確立する
ためのコードを含む、コンピュータプログラム。
【請求項２０】
前記1つまたは複数のパラメータを判定するための前記コードは、
1つまたは複数のRATに関する利用可能な帯域幅を推定し、
最高の推定された利用可能な帯域幅を有する前記RATを識別する
ためのコードを含む、請求項19に記載のコンピュータプログラム。
【請求項２１】
前記利用可能な帯域幅を推定するための前記コードは、利用可能な無線リンク帯域幅を推定するためのコード、またはバックホール帯域幅を判定するためのコードのうちの少なくとも1つを含む、請求項20に記載のコンピュータプログラム。
【請求項２２】
前記バックホール帯域幅を判定するための前記コードは、別のノードからのメッセージにおいて前記バックホール帯域幅を受信するためのコード、または前記バックホール帯域幅を推定するためのコードのうちの少なくとも1つを含む、請求項21に記載のコンピュータプログラム。
【請求項２３】
前記利用可能な帯域幅を推定するための前記コードは、前記モバイルデバイスにおいてリンク容量を測定し、ネットワークロードに関連するパラメータを受信または推定するためのコードを含む、請求項21に記載のコンピュータプログラム。
【請求項２４】
第1のRATの第1の帯域幅関連のパラメータが前記第1の帯域幅関連のパラメータしきい値に合致することを判定し、
第2のRATの第2の帯域幅関連のパラメータが前記第2の帯域幅関連のパラメータしきい値に合致しないことを判定し、
前記第1のRATとの通信を確立する
ためのコードをさらに含む、請求項23に記載のコンピュータプログラム。
【請求項２５】
前記1つまたは複数の所定の基準は、
現在時刻、
前記モバイルデバイスの現在の位置、
前記2つ以上のRATのうちの1つにアクセスするコスト、
1つまたは複数のRAT上の前記モバイルデバイスのローミング状況、
前記モバイルデバイスの契約プロファイル、
前記1つまたは複数の所定の基準は、前記モバイルデバイスの現在のデータ使用量を含み、または
WLANもしくはセルラーアクセスノードの識別情報
のうちの1つまたは複数をさらに含む、請求項19に記載のコンピュータプログラム。
【請求項２６】
モバイルデバイスにおけるネットワーク選択を管理するための装置であって、
2つ以上の無線アクセス技術(RAT)が前記モバイルデバイスとワイヤレス通信するために利用可能であることを判定するための手段と、
1つまたは複数のネットワーク特性に基づくRATの使用を示すネットワークアクセスポリシーにアクセスするための手段と、
1つまたは複数の所定の基準に基づいて前記ネットワークアクセスポリシーを選択的に適用するための手段と、
前記1つまたは複数の所定の基準は、前記モバイルデバイスの現在のデータ使用量を含み、
前記ネットワークアクセスポリシーに基づいて前記2つ以上のRATの各々に関する1つまたは複数のパラメータを判定するための手段と、
前記1つまたは複数のパラメータおよび前記ネットワークアクセスポリシーに基づいて前記RATとの通信を確立するための手段と
を含む、装置。
【請求項２７】
前記1つまたは複数のパラメータを判定するための前記手段は、
1つまたは複数のRATに関する利用可能な帯域幅を推定するための手段と、
最高の推定された利用可能な帯域幅を有する前記RATを識別するための手段と
を含む、請求項26に記載の装置。
【請求項２８】
前記利用可能な帯域幅を推定するための前記手段は、利用可能な無線リンク帯域幅を推定するための手段、またはバックホール帯域幅を判定するための手段のうちの少なくとも1つを含む、請求項27に記載の装置。
【請求項２９】
前記バックホール帯域幅を判定するための前記手段は、別のノードからのメッセージにおいて前記バックホール帯域幅を受信するための手段、または前記バックホール帯域幅を推定するための手段のうちの少なくとも1つを含む、請求項28に記載の装置。
【請求項３０】
前記利用可能な帯域幅を推定するための前記手段は、前記モバイルデバイスにおいてリンク容量を測定し、ネットワークロードに関連するパラメータを受信または推定するための手段を含む、請求項28に記載の装置。
【請求項３１】
前記1つまたは複数の所定の基準は、
現在時刻、
前記モバイルデバイスの現在の位置、
前記2つ以上のRATのうちの1つにアクセスするコスト、
1つまたは複数のRAT上の前記モバイルデバイスのローミング状況、
前記モバイルデバイスの契約プロファイル、
前記1つまたは複数の所定の基準は、前記モバイルデバイスの現在のデータ使用量を含み、または
WLANもしくはセルラーアクセスノードの識別情報
のうちの1つまたは複数をさらに含む、請求項26に記載の装置。
【請求項３２】
第1のRATの第1の帯域幅関連のパラメータが前記第1の帯域幅関連のパラメータしきい値に合致することを判定するための手段と、
第2のRATの第2の帯域幅関連のパラメータが前記第2の帯域幅関連のパラメータしきい値に合致しないことを判定するための手段と、
前記第1のRATとの通信を確立するための手段と
をさらに含む、請求項26に記載の装置。
【請求項３３】
各RATに関する前記利用可能な帯域幅を推定するための前記手段は、帯域幅を示す1つまたは複数のパラメータの関数として推定するための手段をさらに含む、請求項27に記載の装置。
【請求項３４】
帯域幅を示す前記1つまたは複数のパラメータは、信号対ノイズ比(SNR)、リソース利用率、ノイズライズ、RATロード、利用可能なコードの数、スロット利用率、利用可能な送信電力、利用可能なリソースブロックの数、またはアクセスノードバックホールの容量および利用率のうちの1つまたは複数を含む、請求項33に記載の装置。
【請求項３５】
帯域幅を示す1つまたは複数のパラメータの関数として推定するための前記手段は、
無線リンクの品質およびリンク容量を推定するための手段と、
前記モバイルデバイスが利用可能なシステムリソースの一部分を推定するための手段と、
各RATに関する前記利用可能な帯域幅を生成するために前記モバイルデバイスが利用可能なシステムリソースの前記一部分で前記リンク容量をスケーリングするための手段と
をさらに含む、請求項33に記載の装置。
【請求項３６】
前記ネットワークアクセスポリシーは、選択条件をさらに含み、最高の推定された利用可能な無線リンク帯域幅を有する前記RATとの通信を確立するステップは、前記選択条件にさらに基づいている、請求項26に記載の装置。
【請求項３７】
前記選択条件は、前記最高の推定された利用可能な帯域幅を有する前記RATを選択するための第1のRAT選択条件と、第2のRATを選択するための第2のRAT選択条件とを含む、請求項36に記載の装置。
【請求項３８】
前記第1のRAT選択条件に合致することを判定するための手段をさらに含み、前記最高の推定された利用可能な帯域幅を有する前記RATとの通信を確立するための手段は、前記第1のRAT選択条件に合致することにさらに基づいている、請求項37に記載の装置。
【請求項３９】
前記第2のRAT選択条件に合致することを判定するための手段と、
前記第2のRAT選択条件に合致することに基づいて前記第2のRATとの通信を確立するための手段と
をさらに含む、請求項37に記載の装置。
【請求項４０】
前記第1のRAT選択条件は、第1の帯域幅関連のパラメータしきい値を含み、前記第2のRAT選択条件は、第2の帯域幅関連のパラメータしきい値を含む、請求項37に記載の装置。
【請求項４１】
前記2つ以上のRATのうちの1つの前記第1の帯域幅関連のパラメータが、前記第1の帯域幅関連のパラメータしきい値に合致することを判定するための手段であって、それによって前記第1のRAT条件を達成する、手段と、
前記第2のRATの前記第2の帯域幅関連のパラメータが、前記第2の帯域幅関連のパラメータしきい値に合致しないことを判定するための手段であって、それによって前記第2のRAT条件を達成しない、手段と
をさらに含む、請求項40に記載の装置。
【請求項４２】
前記選択条件は、新しいRATを選択することに対してバイアスするためのヒステリシス値を含む、請求項36に記載の装置。
【請求項４３】
ネットワーク選択を管理するためのデバイスであって、
プロセッサと、
前記プロセッサと電子通信中のメモリと
を含み、前記メモリは命令を具現化し、前記命令は、
2つ以上の無線アクセス技術(RAT)がモバイルデバイスとワイヤレス通信するために利用可能であることを判定し、
1つまたは複数のネットワーク特性に基づくRATの使用を示すネットワークアクセスポリシーにアクセスし、
1つまたは複数の所定の基準に基づいて前記ネットワークアクセスポリシーを選択的に適用し、
前記1つまたは複数の所定の基準は、前記モバイルデバイスの現在のデータ使用量を含み、
前記ネットワークアクセスポリシーに基づいて前記2つ以上のRATの各々に関する1つまたは複数のパラメータを判定し、
前記1つまたは複数のパラメータおよび前記ネットワークアクセスポリシーに基づいて前記RATとの通信を確立する
ために前記プロセッサによって実行可能である、デバイス。
【請求項４４】
前記命令は、
1つまたは複数のRATに関する利用可能な帯域幅を推定し、
最高の推定された利用可能な帯域幅を有する前記RATを識別する
ために前記プロセッサによって実行可能である、請求項43に記載のデバイス。
【請求項４５】
前記命令は、利用可能な無線リンク帯域幅を推定すること、またはバックホール帯域幅を判定することのうちの少なくとも1つを介して前記利用可能な帯域幅を推定するために前記プロセッサによってさらに実行可能である、請求項44に記載のデバイス。
【請求項４６】
前記命令は、別のノードからのメッセージにおける前記バックホール帯域幅の少なくとも1つの受信、または前記バックホール帯域幅を推定することを介して前記バックホール帯域幅を判定するために前記プロセッサによってさらに実行可能である、請求項45に記載のデバイス。
【請求項４７】
前記命令は、前記モバイルデバイスにおいてリンク容量を測定し、ネットワークロードに関連するパラメータを受信または推定するために前記プロセッサによってさらに実行可能である、請求項45に記載のデバイス。
【請求項４８】
前記ネットワークアクセスポリシーは、第1のRATに関する第1の帯域幅関連のパラメータしきい値と、第2のRATに関する第2の帯域幅関連のパラメータしきい値とを含む、請求項44に記載のデバイス。
【請求項４９】
前記命令は、
前記第1のRATの第1の帯域幅関連のパラメータが前記第1の帯域幅関連のパラメータしきい値に合致することを判定し、
前記第2のRATの第2の帯域幅関連のパラメータが前記第2の帯域幅関連のパラメータしきい値に合致しないことを判定し、
前記第1のRATとの通信を確立する
ために前記プロセッサによって実行可能である、請求項48に記載のデバイス。
【請求項５０】
前記1つまたは複数の所定の基準は、
現在時刻、
前記モバイルデバイスの現在の位置、
前記2つ以上のRATのうちの1つにアクセスするコスト、
1つまたは複数のRAT上の前記モバイルデバイスのローミング状況、
前記モバイルデバイスの契約プロファイル、
前記1つまたは複数の所定の基準は、前記モバイルデバイスの現在のデータ使用量を含み、または
WLANもしくはセルラーアクセスノードの識別情報
のうちの1つまたは複数をさらに含む、請求項43に記載のデバイス。
【国際調査報告】
2016506213.tif 000013
2016506213.tif 000014
2016506213.tif 000015